(57)【要約】  本開示のいくつかの態様は概して、ワイヤレス通信に関する。いくつかの態様では、ワイヤレス通信デバイスは、ワイヤレス通信構造を少なくともデータ部分と共通アップリンク部分とを含むように構成してもよく、この場合、共通アップリンク部分は、第1のシンボルと第2のシンボルとを含み、第1のシンボルが第2のシンボルに先行する。ワイヤレス通信デバイスは、1つまたは複数の基準信号あるいはアップリンクペイロードの少なくとも一部を第1のシンボルまたは第2のシンボルの少なくとも一方にマップしてもよい。
2019536336.tif 000002
【特許請求の範囲】
【請求項１】
ワイヤレス通信の方法であって、
ワイヤレス通信デバイスによって、ワイヤレス通信構造を少なくともデータ部分と共通アップリンク部分とを含むように構成するステップであって、前記共通アップリンク部分が、第1のシンボルと第2のシンボルとを含み、前記第1のシンボルが前記第2のシンボルに先行する、ステップと、
前記ワイヤレス通信デバイスによって、1つまたは複数の基準信号あるいはアップリンクペイロードの少なくとも一部を前記第1のシンボルまたは前記第2のシンボルの少なくとも一方にマップするステップとを含む方法。
【請求項２】
前記第1のシンボルおよび前記第2のシンボルは、前記データ部分に含まれる1つまたは複数のシンボルよりも短いシンボル持続時間を有するように構成される、請求項1に記載の方法。
【請求項３】
前記共通アップリンク部分は、前記データ部分よりも大きいサブキャリア間隔を有するように構成される、請求項1に記載の方法。
【請求項４】
前記アップリンクペイロードは、前記データ部分の間に受信されるダウンリンクデータに含まれる通信情報に対する肯定応答指示または否定応答指示を含む、請求項1に記載の方法。
【請求項５】
前記アップリンクペイロードは、前記データ部分の間に受信されるダウンリンクデータに含まれる通信情報に基づかない情報を含む、請求項1に記載の方法。
【請求項６】
前記アップリンクペイロードは、物理アップリンク制御チャネル(PUCCH)確認応答指示、PUCCHスケジューリング要求、PUCCHバッファステータス報告、PUCCHチャネル状態指示、物理アップリンク共有チャネル(PUSCH)確認応答指示、またはPUSCHデータのうちの少なくとも1つを含む、請求項1に記載の方法。
【請求項７】
前記1つまたは複数の基準信号は、復調基準信号(DMRS)を含む、請求項1に記載の方法。
【請求項８】
前記1つまたは複数の基準信号は、サウンディング基準信号(SRS)を含む、請求項1に記載の方法。
【請求項９】
前記ワイヤレス通信デバイスは、シングルキャリア周波数分割多重化(SC-FDM)を使用して前記1つまたは複数の基準信号および前記アップリンクペイロードを送信するように構成される、請求項1に記載の方法。
【請求項１０】
前記1つまたは複数の基準信号の全体が前記第1のシンボルにマップされ、
前記アップリンクペイロードの全体が第2のシンボルにマップされる、請求項9に記載の方法。
【請求項１１】
前記1つまたは複数の基準信号は、復調基準信号(DMRS)であり、
前記アップリンクペイロードは、前記ワイヤレス通信構造の前記データ部分において受信されるダウンリンク通信に対する肯定応答指示または否定応答指示を含む、請求項10に記載の方法。
【請求項１２】
前記アップリンクペイロードは、物理アップリンク制御チャネル(PUCCH)確認応答指示、PUCCHスケジューリング要求、PUCCHバッファステータス報告、PUCCHチャネル状態指示、物理アップリンク共有チャネル(PUSCH)確認応答指示、またはPUSCHデータのうちの少なくとも1つを含む、請求項10に記載の方法。
【請求項１３】
前記アップリンクペイロードに含まれるビットの数を判定するステップと、
前記アップリンクペイロードに含まれる前記ビットの数に少なくとも部分的に基づいて、シングルキャリア周波数分割多重化(SC-FDM)または直交周波数分割多重化(OFDM)を使用して前記ワイヤレス通信構造の前記共通アップリンク部分において前記1つまたは複数の基準信号および前記アップリンクペイロードを送信するように前記ワイヤレス通信デバイスを選択的に構成するステップとをさらに含む、請求項1に記載の方法。
【請求項１４】
前記アップリンクペイロードに含まれるビットの数がしきい値を満たさない旨の判定に少なくとも部分的に基づいて、SC-FDMを使用して前記ワイヤレス通信構造の前記共通アップリンク部分において前記1つまたは複数の基準信号および前記アップリンクペイロードを送信するように前記ワイヤレス通信デバイスを構成するステップをさらに含む、請求項13に記載の方法。
【請求項１５】
前記アップリンクペイロードに含まれるビットの数がしきい値を満たす旨の判定に少なくとも部分的に基づいて、OFDMを使用して前記ワイヤレス通信構造の前記共通アップリンク部分において前記1つまたは複数の基準信号および前記アップリンクペイロードを送信するように前記ワイヤレス通信デバイスを構成するステップをさらに含む、請求項13に記載の方法。
【請求項１６】
前記ワイヤレス通信デバイスは、シングルキャリア周波数分割多重化(SC-FDM)を使用して前記1つまたは複数の基準信号および前記アップリンクペイロードを送信するように構成され、
前記1つまたは複数の基準信号および前記アップリンクペイロードの第1の部分は、前記第1のシンボルにマップされ、
前記アップリンクペイロードの第2の部分は、前記第2のシンボルにマップされる、請求項1に記載の方法。
【請求項１７】
前記アップリンクペイロードの前記第1の部分の値に対応するシーケンスは、前記第1のシンボルにおいて送信される、請求項16に記載の方法。
【請求項１８】
前記ワイヤレス通信デバイスは、直交周波数分割多重化(OFDM)を使用して前記1つまたは複数の基準信号および前記アップリンクペイロードを送信するように構成され、
前記1つまたは複数の基準信号および前記アップリンクペイロードの第1の部分は、前記第1のシンボルにマップされ、
前記アップリンクペイロードの第2の部分は、前記第2のシンボルにマップされ、
前記第1のシンボルと前記第2のシンボルは、同じ周波数帯域を使用して送信される、請求項1に記載の方法。
【請求項１９】
前記ワイヤレス通信デバイスは、直交周波数分割多重化(OFDM)を使用して前記1つまたは複数の基準信号および前記アップリンクペイロードを送信するように構成され、
前記アップリンクペイロードの第1の部分は、前記第1のシンボルにマップされ、
前記1つまたは複数の基準信号および前記アップリンクペイロードの第2の部分は、前記第2のシンボルにマップされ、
前記第1のシンボルと前記第2のシンボルは、同じ周波数帯域を使用して送信される、請求項1に記載の方法。
【請求項２０】
前記ワイヤレス通信デバイスは、直交周波数分割多重化(OFDM)を使用して前記1つまたは複数の基準信号および前記アップリンクペイロードを送信するように構成され、
前記1つまたは複数の基準信号の第1の部分および前記アップリンクペイロードの第1の部分は、前記第1のシンボルにマップされ、
前記1つまたは複数の基準信号の第2の部分および前記アップリンクペイロードの第2の部分は、前記第2のシンボルにマップされる、請求項1に記載の方法。
【請求項２１】
前記第1のシンボルと前記第2のシンボルは、それぞれに異なる周波数帯域を使用して送信される、請求項20に記載の方法。
【請求項２２】
前記ワイヤレス通信デバイスは、前記データ部分の間に符号ブロックの第1のセットおよび符号ブロックの第2のセットを受信し、前記符号ブロックの前記第2のセットよりも前に前記符号ブロックの前記第1のセットを復号するように構成され、
前記アップリンクペイロードは、前記符号ブロックの前記第1のセットに肯定応答または否定応答するためのビットの第1のセットと、前記符号ブロックの前記第2のセットに肯定応答または否定応答するためのビットの第2のセットとを含み、
前記ビットの前記第1のセットは、符号化され前記第1のシンボルにマップされる、請求項1に記載の方法。
【請求項２３】
前記ビットの前記第2のセットは、前記ビットの前記第1のセットから独立して符号化され、前記第2のシンボルにマップされる、請求項22に記載の方法。
【請求項２４】
前記ビットの前記第1のセットと前記ビットの前記第2のセットは、ジョイント符号化され、前記第2のシンボルにマップされる、請求項22に記載の方法。
【請求項２５】
前記アップリンクペイロードは、同じワイヤレス通信構造の前記データ部分の間に受信されるダウンリンクデータの肯定応答(ACK)も否定応答(NACK)も含まず、
前記アップリンクペイロードは、ジョイント符号化され、前記第1のシンボルおよび前記第2のシンボルにマップされる、請求項1に記載の方法。
【請求項２６】
前記共通アップリンク部分は、共通アップリンクショートバースト部分を含む、請求項1に記載の方法。
【請求項２７】
ワイヤレス通信デバイスであって、
メモリと、
前記メモリに動作可能に結合された1つまたは複数のプロセッサとを備え、前記1つまたは複数のプロセッサが、
ワイヤレス通信構造を少なくともデータ部分と共通アップリンク部分とを含むように構成することであって、前記共通アップリンク部分が、第1のシンボルと第2のシンボルとを含み、前記第1のシンボルが前記第2のシンボルに先行する、構成することと、
1つまたは複数の基準信号あるいはアップリンクペイロードの少なくとも一部を前記第1のシンボルまたは前記第2のシンボルの少なくとも一方にマップすることとを行うように構成されるワイヤレス通信デバイス。
【請求項２８】
前記第1のシンボルおよび前記第2のシンボルは、前記データ部分に含まれる1つまたは複数のシンボルよりも短いシンボル持続時間を有するように構成される、請求項27に記載のワイヤレス通信デバイス。
【請求項２９】
前記共通アップリンク部分は、前記データ部分よりも大きいサブキャリア間隔を有するように構成される、請求項27に記載のワイヤレス通信デバイス。
【請求項３０】
前記アップリンクペイロードは、前記データ部分の間に受信されるダウンリンクデータに含まれる通信情報に対する肯定応答指示または否定応答指示を含む、請求項27に記載のワイヤレス通信デバイス。
【請求項３１】
前記アップリンクペイロードは、前記データ部分の間に受信されるダウンリンクデータに含まれる通信情報に基づかない情報を含む、請求項27に記載のワイヤレス通信デバイス。
【請求項３２】
前記アップリンクペイロードは、物理アップリンク制御チャネル(PUCCH)確認応答指示、PUCCHスケジューリング要求、PUCCHバッファステータス報告、PUCCHチャネル状態指示、物理アップリンク共有チャネル(PUSCH)確認応答指示、またはPUSCHデータのうちの少なくとも1つを含む、請求項27に記載のワイヤレス通信デバイス。
【請求項３３】
前記1つまたは複数の基準信号は、復調基準信号(DMRS)を含む、請求項27に記載のワイヤレス通信デバイス。
【請求項３４】
前記1つまたは複数の基準信号は、サウンディング基準信号(SRS)を含む、請求項27に記載のワイヤレス通信デバイス。
【請求項３５】
前記ワイヤレス通信デバイスは、シングルキャリア周波数分割多重化(SC-FDM)を使用して前記1つまたは複数の基準信号および前記アップリンクペイロードを送信するように構成される、請求項27に記載のワイヤレス通信デバイス。
【請求項３６】
前記1つまたは複数の基準信号の全体が前記第1のシンボルにマップされ、
前記アップリンクペイロードの全体が前記第2のシンボルにマップされる、請求項35に記載のワイヤレス通信デバイス。
【請求項３７】
前記1つまたは複数の基準信号は、復調基準信号(DMRS)であり、
前記アップリンクペイロードは、前記ワイヤレス通信構造の前記データ部分において受信されるダウンリンク通信に対する肯定応答指示または否定応答指示を含む、請求項36に記載のワイヤレス通信デバイス。
【請求項３８】
前記アップリンクペイロードは、物理アップリンク制御チャネル(PUCCH)確認応答指示、PUCCHスケジューリング要求、PUCCHバッファステータス報告、PUCCHチャネル状態指示、物理アップリンク共有チャネル(PUSCH)確認応答指示、またはPUSCHデータのうちの少なくとも1つを含む、請求項36に記載のワイヤレス通信デバイス。
【請求項３９】
前記1つまたは複数のプロセッサは、
前記アップリンクペイロードに含まれるビットの数を判定することと、
前記アップリンクペイロードに含まれる前記ビットの数に少なくとも部分的に基づいて、シングルキャリア周波数分割多重化(SC-FDM)または直交周波数分割多重化(OFDM)を使用して前記ワイヤレス通信構造の前記共通アップリンク部分において前記1つまたは複数の基準信号および前記アップリンクペイロードを送信するように前記ワイヤレス通信デバイスを選択的に構成することとを行うようにさらに構成される、請求項27に記載のワイヤレス通信デバイス。
【請求項４０】
前記1つまたは複数のプロセッサは、
前記アップリンクペイロードに含まれる前記ビットの数がしきい値を満たさない旨の判定に少なくとも部分的に基づいて、SC-FDMを使用して前記ワイヤレス通信構造の前記共通アップリンク部分において前記1つまたは複数の基準信号および前記アップリンクペイロードを送信するように前記ワイヤレス通信デバイスを構成するようにさらに構成される、請求項39に記載のワイヤレス通信デバイス。
【請求項４１】
前記1つまたは複数のプロセッサは、
前記アップリンクペイロードに含まれる前記ビットの数がしきい値を満たす旨の判定に少なくとも部分的に基づいて、OFDMを使用して前記ワイヤレス通信構造の前記共通アップリンク部分において前記1つまたは複数の基準信号および前記アップリンクペイロードを送信するように前記ワイヤレス通信デバイスを構成するようにさらに構成される、請求項39に記載のワイヤレス通信デバイス。
【請求項４２】
前記ワイヤレス通信デバイスは、シングルキャリア周波数分割多重化(SC-FDM)を使用して前記1つまたは複数の基準信号および前記アップリンクペイロードを送信するように構成され、
前記1つまたは複数の基準信号および前記アップリンクペイロードの第1の部分は、前記第1のシンボルにマップされ、
前記アップリンクペイロードの第2の部分は、前記第2のシンボルにマップされる、請求項27に記載のワイヤレス通信デバイス。
【請求項４３】
前記アップリンクペイロードの前記第1の部分の値に対応するシーケンスは、前記第1のシンボルにおいて送信される、請求項42に記載のワイヤレス通信デバイス。
【請求項４４】
前記ワイヤレス通信デバイスは、直交周波数分割多重化(OFDM)を使用して前記1つまたは複数の基準信号および前記アップリンクペイロードを送信するように構成され、
前記1つまたは複数の基準信号および前記アップリンクペイロードの第1の部分は、前記第1のシンボルにマップされ、
前記アップリンクペイロードの第2の部分は、前記第2のシンボルにマップされ、
前記第1のシンボルと前記第2のシンボルは、同じ周波数帯域を使用して送信される、請求項27に記載のワイヤレス通信デバイス。
【請求項４５】
前記ワイヤレス通信デバイスは、直交周波数分割多重化(OFDM)を使用して前記1つまたは複数の基準信号および前記アップリンクペイロードを送信するように構成され、
前記アップリンクペイロードの第1の部分は、前記第1のシンボルにマップされ、
前記1つまたは複数の基準信号および前記アップリンクペイロードの第2の部分は、前記第2のシンボルにマップされ、
前記第1のシンボルと前記第2のシンボルは、同じ周波数帯域を使用して送信される、請求項27に記載のワイヤレス通信デバイス。
【請求項４６】
前記ワイヤレス通信デバイスは、直交周波数分割多重化(OFDM)を使用して前記1つまたは複数の基準信号および前記アップリンクペイロードを送信するように構成され、
前記1つまたは複数の基準信号の第1の部分および前記アップリンクペイロードの第1の部分は、前記第1のシンボルにマップされ、
前記1つまたは複数の基準信号の第2の部分および前記アップリンクペイロードの第2の部分は、前記第2のシンボルにマップされる、請求項27に記載のワイヤレス通信デバイス。
【請求項４７】
前記第1のシンボルと前記第2のシンボルは、それぞれに異なる周波数帯域を使用して送信される、請求項46に記載のワイヤレス通信デバイス。
【請求項４８】
前記ワイヤレス通信デバイスは、前記データ部分の間に符号ブロックの第1のセットおよび符号ブロックの第2のセットを受信し、前記符号ブロックの前記第2のセットよりも前に前記符号ブロックの前記第1のセットを復号するように構成され、
前記アップリンクペイロードは、前記符号ブロックの前記第1のセットに肯定応答または否定応答するためのビットの第1のセットと、前記符号ブロックの前記第2のセットに肯定応答または否定応答するためのビットの第2のセットとを含み、
前記ビットの前記第1のセットは、符号化され前記第1のシンボルにマップされる、請求項27に記載のワイヤレス通信デバイス。
【請求項４９】
前記ビットの前記第2のセットは、前記ビットの前記第1のセットから独立して符号化され、前記第2のシンボルにマップされる、請求項48に記載のワイヤレス通信デバイス。
【請求項５０】
前記ビットの前記第1のセットと前記ビットの前記第2のセットは、ジョイント符号化され、前記第2のシンボルにマップされる、請求項48に記載のワイヤレス通信デバイス。
【請求項５１】
前記アップリンクペイロードは、同じワイヤレス通信構造の前記データ部分の間に受信されるダウンリンクデータの肯定応答(ACK)も否定応答(NACK)も含まず、
前記アップリンクペイロードは、ジョイント符号化され、前記第1のシンボルおよび前記第2のシンボルにマップされる、請求項27に記載のワイヤレス通信デバイス。
【請求項５２】
前記共通アップリンク部分は、共通アップリンクショートバースト部分を含む、請求項27に記載のワイヤレス通信デバイス。
【請求項５３】
ワイヤレス通信用の1つまたは複数の命令を記憶する非一時的コンピュータ可読記憶媒体であって、前記1つまたは複数の命令が、
ワイヤレス通信デバイスの1つまたは複数のプロセッサによって実行されたときに、前記1つまたは複数のプロセッサに、
ワイヤレス通信構造を少なくともデータ部分と共通アップリンク部分とを含むように構成することであって、前記共通アップリンク部分が、第1のシンボルと第2のシンボルとを含み、前記第1のシンボルが前記第2のシンボルに先行する、構成することと、
1つまたは複数の基準信号あるいはアップリンクペイロードの少なくとも一部を前記第1のシンボルまたは前記第2のシンボルの少なくとも一方にマップすることとを行わせる1つまたは複数の命令を含む非一時的コンピュータ可読記憶媒体。
【請求項５４】
前記第1のシンボルおよび前記第2のシンボルは、前記データ部分に含まれる1つまたは複数のシンボルよりも短いシンボル持続時間を有するように構成される、請求項53に記載の非一時的コンピュータ可読記憶媒体。
【請求項５５】
前記アップリンクペイロードは、
前記データ部分の間に受信されるダウンリンクデータに含まれる通信情報に対する肯定応答指示または否定応答指示、
前記データ部分の間に受信されるダウンリンクデータに含まれる通信情報に基づかない情報、または
物理アップリンク制御チャネル(PUCCH)確認応答指示、PUCCHスケジューリング要求、PUCCHバッファステータス報告、PUCCHチャネル状態指示、物理アップリンク共有チャネル(PUSCH)確認応答指示、もしくはPUSCHデータのうちの少なくとも1つのうちの少なくとも1つを含む、請求項53に記載の非一時的コンピュータ可読記憶媒体。
【請求項５６】
前記1つまたは複数の基準信号は、
復調基準信号(DMRS)または
サウンディング基準信号(SRS)の少なくとも一方を含む、請求項53に記載の非一時的コンピュータ可読記憶媒体。
【請求項５７】
前記ワイヤレス通信デバイスは、シングルキャリア周波数分割多重化(SC-FDM)を使用して前記1つまたは複数の基準信号および前記アップリンクペイロードを送信するように構成される、請求項53に記載の非一時的コンピュータ可読記憶媒体。
【請求項５８】
前記1つまたは複数の基準信号の全体が前記第1のシンボルにマップされ、
前記アップリンクペイロードの全体が第2のシンボルにマップされる、請求項57に記載の非一時的コンピュータ可読記憶媒体。
【請求項５９】
前記1つまたは複数の基準信号は、復調基準信号(DMRS)であり、
前記アップリンクペイロードは、前記ワイヤレス通信構造の前記データ部分において受信されるダウンリンク通信に対する肯定応答指示または否定応答指示を含む、請求項58に記載の非一時的コンピュータ可読記憶媒体。
【請求項６０】
前記1つまたは複数の命令は、前記1つまたは複数のプロセッサによって実行されたときに、前記1つまたは複数のプロセッサに、
前記アップリンクペイロードに含まれるビットの数を判定することと、
前記アップリンクペイロードに含まれる前記ビットの数に少なくとも部分的に基づいて、シングルキャリア周波数分割多重化(SC-FDM)または直交周波数分割多重化(OFDM)を使用して前記ワイヤレス通信構造の前記共通アップリンク部分において前記1つまたは複数の基準信号および前記アップリンクペイロードを送信するように前記ワイヤレス通信デバイスを選択的に構成することとをさらに行わせる、請求項53に記載の非一時的コンピュータ可読記憶媒体。
【請求項６１】
前記ワイヤレス通信デバイスは、シングルキャリア周波数分割多重化(SC-FDM)を使用して前記1つまたは複数の基準信号および前記アップリンクペイロードを送信するように構成され、
前記1つまたは複数の基準信号および前記アップリンクペイロードの第1の部分は、前記第1のシンボルにマップされ、
前記アップリンクペイロードの第2の部分は、前記第2のシンボルにマップされる、請求項53に記載の非一時的コンピュータ可読記憶媒体。
【請求項６２】
前記ワイヤレス通信デバイスは、直交周波数分割多重化(OFDM)を使用して前記1つまたは複数の基準信号および前記アップリンクペイロードを送信するように構成され、
前記1つまたは複数の基準信号および前記アップリンクペイロードの第1の部分は、前記第1のシンボルにマップされ、
前記アップリンクペイロードの第2の部分は、前記第2のシンボルにマップされ、
前記第1のシンボルと前記第2のシンボルは、同じ周波数帯域を使用して送信される、請求項53に記載の非一時的コンピュータ可読記憶媒体。
【請求項６３】
前記ワイヤレス通信デバイスは、直交周波数分割多重化(OFDM)を使用して前記1つまたは複数の基準信号および前記アップリンクペイロードを送信するように構成され、
前記1つまたは複数の基準信号の第1の部分および前記アップリンクペイロードの第1の部分は、前記第1のシンボルにマップされ、
前記1つまたは複数の基準信号の第2の部分および前記アップリンクペイロードの第2の部分は、前記第2のシンボルにマップされる、請求項53に記載の非一時的コンピュータ可読記憶媒体。
【請求項６４】
前記ワイヤレス通信デバイスは、前記データ部分の間に符号ブロックの第1のセットおよび符号ブロックの第2のセットを受信し、前記符号ブロックの前記第2のセットよりも前に前記符号ブロックの前記第1のセットを復号するように構成され、
前記アップリンクペイロードは、前記符号ブロックの前記第1のセットに肯定応答または否定応答するためのビットの第1のセットと、前記符号ブロックの前記第2のセットに肯定応答または否定応答するためのビットの第2のセットとを含み、
前記ビットの前記第1のセットは、符号化され前記第1のシンボルにマップされる、請求項53に記載の非一時的コンピュータ可読記憶媒体。
【請求項６５】
ワイヤレス通信のための装置であって、
ワイヤレス通信構造を少なくともデータ部分と共通アップリンク部分とを含むように構成するための手段であって、前記共通アップリンク部分が、第1のシンボルと第2のシンボルとを含み、前記第1のシンボルが前記第2のシンボルに先行する手段と、
1つまたは複数の基準信号あるいはアップリンクペイロードの少なくとも一部を前記第1のシンボルまたは前記第2のシンボルの少なくとも一方にマップするための手段とを備える装置。
【請求項６６】
前記第1のシンボルおよび前記第2のシンボルは、前記データ部分に含まれる1つまたは複数のシンボルよりも短いシンボル持続時間を有するように構成される、請求項65に記載の装置。
【請求項６７】
前記アップリンクペイロードは、
前記データ部分の間に受信されるダウンリンクデータに含まれる通信情報に対する肯定応答指示または否定応答指示、
前記データ部分の間に受信されるダウンリンクデータに含まれる通信情報に基づかない情報、または
物理アップリンク制御チャネル(PUCCH)確認応答指示、PUCCHスケジューリング要求、PUCCHバッファステータス報告、PUCCHチャネル状態指示、物理アップリンク共有チャネル(PUSCH)確認応答指示、もしくはPUSCHデータのうちの少なくとも1つのうちの少なくとも1つを含む、請求項65に記載の装置。
【請求項６８】
前記1つまたは複数の基準信号は、
復調基準信号(DMRS)または
サウンディング基準信号(SRS)の少なくとも一方を含む、請求項65に記載の装置。
【請求項６９】
前記装置は、シングルキャリア周波数分割多重化(SC-FDM)を使用して前記1つまたは複数の基準信号および前記アップリンクペイロードを送信するように構成される、請求項65に記載の装置。
【請求項７０】
前記1つまたは複数の基準信号の全体が前記第1のシンボルにマップされ、
前記アップリンクペイロードの全体が第2のシンボルにマップされる、請求項69に記載の装置。
【請求項７１】
前記1つまたは複数の基準信号は、復調基準信号(DMRS)を含み、
前記アップリンクペイロードは、前記ワイヤレス通信構造の前記データ部分において受信されるダウンリンク通信に対する肯定応答指示または否定応答指示を含む、請求項70に記載の装置。
【請求項７２】
前記アップリンクペイロードに含まれるビットの数を判定するための手段と、
前記アップリンクペイロードに含まれる前記ビットの数に少なくとも部分的に基づいて、シングルキャリア周波数分割多重化(SC-FDM)または直交周波数分割多重化(OFDM)を使用して前記ワイヤレス通信構造の前記共通アップリンク部分において前記1つまたは複数の基準信号および前記アップリンクペイロードを送信するように前記装置を選択的に構成するための手段とをさらに備える、請求項65に記載の装置。
【請求項７３】
前記装置は、シングルキャリア周波数分割多重化(SC-FDM)を使用して前記1つまたは複数の基準信号および前記アップリンクペイロードを送信するように構成され、
前記1つまたは複数の基準信号および前記アップリンクペイロードの第1の部分は、前記第1のシンボルにマップされ、
前記アップリンクペイロードの第2の部分は、前記第2のシンボルにマップされる、請求項65に記載の装置。
【請求項７４】
前記装置は、直交周波数分割多重化(OFDM)を使用して前記1つまたは複数の基準信号および前記アップリンクペイロードを送信するように構成され、
前記1つまたは複数の基準信号および前記アップリンクペイロードの第1の部分は、前記第1のシンボルにマップされ、
前記アップリンクペイロードの第2の部分は、前記第2のシンボルにマップされ、
前記第1のシンボルと前記第2のシンボルは、同じ周波数帯域を使用して送信される、請求項65に記載の装置。
【請求項７５】
前記装置は、直交周波数分割多重化(OFDM)を使用して前記1つまたは複数の基準信号および前記アップリンクペイロードを送信するように構成され、
前記1つまたは複数の基準信号の第1の部分および前記アップリンクペイロードの第1の部分は、前記第1のシンボルにマップされ、
前記1つまたは複数の基準信号の第2の部分および前記アップリンクペイロードの第2の部分は、前記第2のシンボルにマップされる、請求項65に記載の装置。
【請求項７６】
前記装置は、前記データ部分の間に符号ブロックの第1のセットおよび符号ブロックの第2のセットを受信し、前記符号ブロックの前記第2のセットよりも前に前記符号ブロックの前記第1のセットを復号するように構成され、
前記アップリンクペイロードは、前記符号ブロックの前記第1のセットに肯定応答または否定応答するためのビットの第1のセットと、前記符号ブロックの前記第2のセットに肯定応答または否定応答するためのビットの第2のセットとを含み、
前記ビットの前記第1のセットは、符号化され前記第1のシンボルにマップされる、請求項65に記載の装置。
【発明の詳細な説明】
【技術分野】
【０００１】
本開示の態様は、一般にワイヤレス通信に関し、より詳細には、共通アップリンクバーストのための技法および装置に関する。
【背景技術】
【０００２】
ワイヤレス通信システムは、電話、ビデオ、データ、メッセージング、およびブロードキャストなどの、様々な電気通信サービスを提供するために広く展開されている。代表的なワイヤレス通信システムは、利用可能なシステムリソース(たとえば、帯域幅、送信電力など)を共有することによって複数のユーザとの通信をサポートすることができる多元接続技術を使用する場合がある。そのような多元接続技術の例は、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、時分割同期符号分割多元接続(TD-SCDMA)、ロングタームエボリューション(LTE)を含む。LTE/LTE-Advancedは、第3世代パートナーシッププロジェクト(3GPP)によって公表されたユニバーサルモバイル電気通信システム(UMTS)モバイル標準規格に対する拡張規格のセットである。
【０００３】
ワイヤレス通信ネットワークは、いくつかのユーザ機器(UE)のための通信をサポートできるいくつかの基地局(BS)を含んでもよい。UEは、ダウンリンクおよびアップリンクを介してBSと通信してもよい。ダウンリンク(または、順方向リンク)は、BSからUEへの通信リンクを指し、アップリンク(または、逆方向リンク)は、UEからBSへの通信リンクを指す。より詳細に説明するように、BSは、ノードB、gNB、アクセスポイント(AP)、無線ヘッド、送信受信ポイント(TRP)、5GBS、5GノードBなどと呼ばれることもある。
【０００４】
上記の多元接続技術は、異なるワイヤレス通信デバイスが都市規模、国家規模、地域規模、場合によっては地球規模で通信することを可能にする共通プロトコルを提供するために、様々な電気通信規格において採用されている。5Gは、New Radioと呼ばれることもあり、第3世代パートナーシッププロジェクト(3GPP)によって公表されたLTEモバイル規格の拡張規格のセットである。5Gは、スペクトル効率を改善し、コストを削減し、サービスを改善し、新しいスペクトルを使用し、またダウンリンク(DL)上でサイクリックプレフィックス(CP)を含むOFDM(CP-OFDM)を使用し、アップリンク(UL)上でCP-OFDMおよび/または(たとえば、離散フーリエ変換拡散ODFM(DFT-s-OFDM)とも呼ばれる)SC-FDMを使用し、ならびにビームフォーミング、多入力多出力(MIMO)アンテナ技術、およびキャリアアグリゲーションをサポートする他のオープン規格とよりうまく統合することによって、モバイルブロードバンドインターネットアクセスをよりうまくサポートするように設計されている。しかしながら、モバイルブロードバンドアクセスに対する需要が増大し続けるにつれて、LTE技術および5G技術におけるさらなる改善が必要である。好ましくは、これらの改善は、他の多元接続技術、およびこれらの技術を用いる電気通信規格に適用可能であるべきである。
【発明の概要】
【課題を解決するための手段】
【０００５】
いくつかの態様では、ワイヤレス通信のための方法は、ワイヤレス通信デバイスによって、ワイヤレス通信構造を少なくともデータ部分と共通アップリンク部分とを含むように構成するステップを含んでもよく、この場合、共通アップリンク部分は、第1のシンボルと第2のシンボルとを含み、第1のシンボルが第2のシンボルに先行する。この方法は、ワイヤレス通信デバイスによって、1つまたは複数の基準信号あるいはアップリンクペイロードの少なくとも一部を第1のシンボルまたは第2のシンボルの少なくとも一方にマップするステップを含んでもよい。各態様では、ワイヤレス通信構造を構成するステップは、少なくとも時間領域における送信単位を定義するステップを含んでもよい。
【０００６】
いくつかの態様では、ワイヤレス通信デバイスは、メモリと、メモリに動作可能に結合された1つまたは複数のプロセッサとを含んでもよい。1つまたは複数のプロセッサは、ワイヤレス通信構造を少なくともデータ部分と共通アップリンク部分とを含むように構成するように構成されてもよく、この場合、共通アップリンク部分は、第1のシンボルと第2のシンボルとを含み、第1のシンボルが第2のシンボルに先行する。1つまたは複数のプロセッサは、1つまたは複数の基準信号あるいはアップリンクペイロードの少なくとも一部を第1のシンボルまたは第2のシンボルの少なくとも一方にマップするように構成されてもよい。
【０００７】
いくつかの態様では、非一時的コンピュータ可読媒体は、ワイヤレス通信のための1つまたは複数の命令を記憶してもよい。1つまたは複数の命令は、ワイヤレス通信デバイスの1つまたは複数のプロセッサによって実行されたときに、1つまたは複数のプロセッサに、ワイヤレス通信構造を少なくともデータ部分と共通アップリンク部分とを含むように構成させてもよく、この場合、共通アップリンク部分は、第1のシンボルと第2のシンボルとを含み、第1のシンボルが第2のシンボルに先行する。1つまたは複数の命令は、1つまたは複数のプロセッサに、1つまたは複数の基準信号あるいはアップリンクペイロードの少なくとも一部を第1のシンボルまたは第2のシンボルの少なくとも一方にマップさせてもよい。
【０００８】
いくつかの態様では、ワイヤレス通信のための装置は、ワイヤレス通信構造を少なくともデータ部分と共通アップリンク部分とを含むように構成するための手段を含んでもよく、この場合、共通アップリンク部分は、第1のシンボルと第2のシンボルとを含み、第1のシンボルが第2のシンボルに先行する。この装置は、1つまたは複数の基準信号あるいはアップリンクペイロードの少なくとも一部を第1のシンボルまたは第2のシンボルの少なくとも一方にマップするための手段を含んでもよい。
【０００９】
各態様は、一般に、添付の図面を参照しながら本明細書で十分に説明され、添付の図面によって示される、方法、装置、システム、コンピュータプログラム製品、非一時的コンピュータ可読媒体、ユーザ機器、ワイヤレス通信デバイス、および処理システムを含む。
【００１０】
上では、以下の発明を実施するための形態をより良く理解できるように、本開示による例の特徴および技術的利点をかなり広範に概説した。追加の特徴および利点について以下で説明する。開示される概念および具体例は、本開示の同じ目的を実行するために他の構造を変更または設計するための基礎として容易に利用されることがある。そのような均等な構成は、添付の特許請求の範囲から逸脱しない。本明細書で開示される概念の特性、それらの構成と動作方法の両方が、関連する利点とともに、添付の図に関して検討されると以下の説明からより良く理解されよう。図の各々は、例示および説明のために提供され、特許請求の範囲の限定の定義として提供されるものではない。
【００１１】
上述した本開示の特徴を詳細に理解できるように、上記の概略的な説明に対して、態様を参照することによってより詳細な説明を施す場合がある。これらの態様のいくつかは、添付の図面に示されている。しかしながら、本説明は他の等しく有効な態様に当てはまることがあるので、添付の図面が、本開示のいくつかの典型的な態様のみを示し、したがって、本開示の範囲を限定するものと見なされるべきではないことに留意されたい。異なる図面における同じ参照番号は、同じまたは同様の要素を識別することがある。
【図面の簡単な説明】
【００１２】
【図１】本開示のいくつかの態様による、ワイヤレス通信ネットワークの一例を概念的に示すブロック図である。
【図２】本開示のいくつかの態様による、ワイヤレス通信ネットワークにおいてユーザ機器(UE)と通信している基地局の一例を概念的に示すブロック図である。
【図３】本開示のいくつかの態様による、ワイヤレス通信ネットワークにおけるフレーム構造の一例を概念的に示すブロック図である。
【図４】本開示のいくつかの態様による、ノーマルサイクリックプレフィックスを有する2つの例示的なサブフレームフォーマットを概念的に示すブロック図である。
【図５】本開示のいくつかの態様による、分散型無線アクセスネットワーク(RAN)の例示的な論理アーキテクチャを示す図である。
【図６】本開示のいくつかの態様による、分散型RANの例示的な物理的アーキテクチャを示す図である。
【図７】本開示のいくつかの態様による、ダウンリンク(DL)中心のサブフレームまたはワイヤレス通信構造の一例を示す図である。
【図８】本開示のいくつかの態様による、アップリンク(UL)中心のサブフレームまたはワイヤレス通信構造の一例を示す図である。
【図９】本開示の様々な態様による、共通アップリンクバーストのための技法の例を示すフローチャートである。
【図１０】本開示の様々な態様による、共通アップリンクバーストのための技法の例を示すフローチャートである。
【図１１】本開示の様々な態様による、共通アップリンクバーストのための技法の例を示すフローチャートである。
【図１２】本開示の様々な態様による、共通アップリンクバーストのための技法の例を示すフローチャートである。
【図１３】本開示の様々な態様による、共通アップリンクバーストのための技法の例を示すフローチャートである。
【図１４】本開示の様々な態様による、共通アップリンクバーストのための技法の例を示すフローチャートである。
【図１５】本開示の様々な態様による、共通アップリンクバーストのための技法の例を示すフローチャートである。
【図１６】本開示の様々な態様による、共通アップリンクバーストのための技法の例を示すフローチャートである。
【図１７】本開示の様々な態様による、たとえばワイヤレス通信デバイスによって実行される例示的なプロセスを示す図である。
【図１８】例示的な装置内のそれぞれに異なるモジュール/手段/構成要素間のデータフローを示す概念データフロー図である。
【図１９】処理システムを採用する装置のためのハードウェア実装形態の一例を示す図である。
【発明を実施するための形態】
【００１３】
添付の図面を参照しながら本開示の様々な態様について以下でより十分に説明する。しかしながら、本開示は、多くの異なる形態で具現化されてもよく、本開示全体にわたって提示される任意の特定の構造または機能に限定されるものと解釈されるべきでない。むしろ、これらの態様は、本開示が周到で完全になり、本開示の範囲を当業者に十分に伝えるために提供される。本明細書の教示に基づいて、本開示の範囲は、本開示の任意の他の態様とは独立して実施されるにしても、本開示の任意の他の態様と組み合わせて実施されるにしても、本明細書において開示される本開示のあらゆる態様を包含することを意図していることは、当業者は理解されたい。たとえば、本明細書に記載される任意の数の態様を使用して、装置が実装されてもよく、または方法が実践されてもよい。加えて、本開示の範囲は、本明細書に記載された本開示の様々な態様に加えて、またはそれらの態様以外に、他の構造、機能、または構造および機能を使用して実践されるそのような装置または方法を包含するものとする。本明細書で開示される本開示のいずれの態様も、請求項の1つまたは複数の要素によって具現化されてもよいことを理解されたい。「例示的」という語は、本明細書では「一例、事例、または例示としての働きをすること」を意味するために使用される。本明細書で「例示的」として説明するいかなる態様も、必ずしも他の態様よりも好ましいかまたは有利なものと解釈されるべきではない。次に、様々な装置および技法を参照しながら、電気通信システムのいくつかの態様を提示する。これらの装置および技法について、以下の詳細な説明において説明し、様々なブロック、モジュール、構成要素、回路、ステップ、プロセス、アルゴリズムなど(「要素」と総称される)によって添付の図面に示す。これらの要素は、ハードウェア、ソフトウェア、またはそれらの組合せを使用して実装されてもよい。そのような要素がハードウェアとして実装されるか、ソフトウェアとして実装されるかは、特定の適用例および全体的なシステムに課される設計制約に依存する。
【００１４】
アクセスポイント(「AP」)は、ノードB、無線ネットワークコントローラ(「RNC」)、eノードB(eNB)、基地局コントローラ(「BSC」)、トランシーバ基地局(「BTS」)、基地局(「BS」)、トランシーバ機能(「TF」)、無線ルータ、無線トランシーバ、基本サービスセット(「BSS」)、拡張サービスセット(「ESS」)、無線基地局(「RBS」)、ノードB(NB)、gNB、5GNB、送信受信ポイント(TRP)、または何らかの他の用語を含み、それらとして実装され、またはそのように呼ばれることがある。
【００１５】
アクセス端末(「AT」)は、アクセス端末、加入者局、加入者ユニット、移動局、遠隔局、遠隔端末、ユーザ端末、ユーザエージェント、ユーザデバイス、ユーザ機器(UE)、ユーザ局、ワイヤレスノード、もしくは何らかの他の用語を含み、それらとして実装され、またはそのように呼ばれる場合がある。いくつかの実装形態では、アクセス端末は、セルラー電話、スマートフォン、コードレス電話、セッション開始プロトコル(「SIP」)電話、ワイヤレスローカルループ(「WLL」)局、携帯情報端末(「PDA」)、タブレット、ネットブック、スマートブック、ウルトラブック、ワイヤレス接続機能を有するハンドヘルドデバイス、局(「STA」)、または、ワイヤレスモデムに接続されたなにか他の適切な処理デバイスを備えてもよい。したがって、本明細書で教示する1つまたは複数の態様は、電話(たとえば、セルラーフォン、スマートフォン)、コンピュータ(たとえば、デスクトップ)、ポータブル通信デバイス、ポータブルコンピューティングデバイス(たとえば、ラップトップ、携帯情報端末、タブレット、ネットブック、スマートブック、ウルトラブック)、ウェアラブルデバイス(たとえば、スマートウォッチ、スマートグラス、スマートブレスレット、スマートリストバンド、スマートリング、スマートクロージングなど)、医療デバイスもしくは機器、生体センサ/デバイス、エンターテインメントデバイス(たとえば、音楽デバイス、ビデオデバイス、衛星ラジオ、ゲームデバイスなど)、車両構成要素もしくはセンサ、スマートメーター/センサ、産業用製造機器、全地球測位システムデバイス、または、ワイヤレスもしくはワイヤード媒体を介して通信するように構成される任意の他の好適なデバイスに組み込まれてもよい。いくつかの態様では、ノードはワイヤレスノードである。ワイヤレスノードは、たとえば、ワイヤード通信リンクまたはワイヤレス通信リンクを介して、ネットワーク(たとえば、インターネットまたはセルラーネットワークなどのワイドエリアネットワーク)のための、またはネットワークへの接続性を実現してもよい。いくつかのUEは、マシンタイプ通信(MTC)UEと見なされる場合があり、MTC UEは、基地局、別のリモートデバイス、または何らかの他のエンティティと通信することがあるリモートデバイスを含んでもよい。マシンタイプ通信(MTC)は、通信の少なくとも一端上の少なくとも1つのリモートデバイスを伴う通信を指す場合があり、必ずしも人間の対話を必要とするとは限らない1つまたは複数のエンティティを伴うデータ通信の形態を含んでもよい。MTC UEは、たとえば、パブリックランドモバイルネットワーク(PLMN)を介したMTCサーバおよび/または他のMTCデバイスとのMTC通信が可能なUEを含んでもよい。MTCデバイスの例には、センサ、メーター、位置タグ、モニタ、ドローン、ロボット/ロボティックデバイスなどが含まれる。MTC UE、ならびに他のタイプのUEは、NB-IoT(narrowband internet of things)デバイスとして実装されてもよい。
【００１６】
本明細書では3Gおよび/または4Gワイヤレス技術に一般的に関連する用語を使用して、態様について説明する場合があるが、本開示の態様は、5G以降など、他の世代ベースの通信システムにおいて適用されてもよいことに留意されたい。
【００１７】
図1は、本開示の態様が実践されてもよいネットワーク100を示す図である。ネットワーク100は、LTEネットワーク、または5Gネットワークなどの何らかの他のワイヤレスネットワークであってよい。ワイヤレスネットワーク100は、いくつかのBS110(BS110a、BS110b、BS110c、およびBS110dとして示されている)と、他のネットワークエンティティとを含んでもよい。BSは、ユーザ機器(UE)と通信するエンティティであり、基地局、5GBS、ノードB、gNB、5GNB、アクセスポイント、TRPなどと呼ばれることもある。各BSは、特定の地理的エリア用の通信カバレージを実現してもよい。3GPPでは、「セル」という用語は、その用語が使用されるコンテキストに応じて、BSのカバレージエリア、および/またはこのカバレージエリアをサービスしているBSサブシステムを指すことができる。
【００１８】
BSは、マクロセル、ピコセル、フェムトセル、および/または他のタイプのセルのための通信カバレージを実現してもよい。マクロセルは、比較的大きい地理的エリア(たとえば、半径数キロメートル)をカバーしてもよく、サービスに加入しているUEによる無制限アクセスを可能にしてもよい。ピコセルは、比較的小さい地理的エリアをカバーしてもよく、サービスに加入しているUEによる無制限アクセスを可能にしてもよい。フェムトセルは、比較的小さい地理的エリア(たとえば、自宅)をカバーしてもよく、フェムトセルとの関連付けを有するUE(たとえば、限定加入者グループ(CSG)内のUE)による制限付きアクセスを可能にしてもよい。マクロセルのためのBSは、マクロBSと呼ばれることがある。ピコセルのためのBSは、ピコBSと呼ばれることがある。また、フェムトセルのためのBSは、フェムトBSまたはホームBSと呼ばれることがある。図1に示す例では、BS110aは、マクロセル102aのためのマクロBSであってもよく、BS110bは、ピコセル102bのためのピコBSであってもよく、BS110cは、フェムトセル102cのためのフェムトBSであってもよい。BSは1つまたは複数(たとえば、3つ)のセルをサポートしてもよい。「eNB」、「基地局」、「5GBS」、「gNB」、「TRP」、「AP」、「ノードB」、「5GNB」、および「セル」という用語が互換的に使用されてもよい。
【００１９】
いくつかの例では、セルは、必ずしも静止しているとは限らないことがあり、セルの地理的エリアは、モバイルBSのロケーションに従って移動してもよい。いくつかの例では、BSは、任意の好適なトランスポートネットワークを使用して、直接物理接続、仮想ネットワークなど、様々なタイプのバックホールインターフェースを通して、アクセスネットワーク100内で互いに相互接続されてもよく、および/または1つまたは複数の他のBSもしくはネットワークノード(図示せず)に相互接続されてもよい。
【００２０】
ワイヤレスネットワーク100はまた、中継局を含んでもよい。中継局は、上流局(たとえば、BSまたはUE)からデータの送信を受信でき、そのデータの送信を下流局(たとえば、UEまたはBS)に送ることができるエンティティである。中継局はまた、他のUEのための送信を中継できるUEであってもよい。図1に示す例では、中継局110dは、BS110aとUE120dとの間の通信を容易にするために、マクロBS110aおよびUE120dと通信してもよい。中継局は、中継BS、中継基地局、リレーなどと呼ばれることもある。
【００２１】
ワイヤレスネットワーク100は、異なるタイプのBS、たとえば、マクロBS、ピコBS、フェムトBS、中継BSなどを含む、異種ネットワークであってよい。これらの異なるタイプのBSは、ワイヤレスネットワーク100において、異なる送信電力レベル、異なるカバレージエリア、および干渉に対する異なる影響を有してもよい。たとえば、マクロBSは、高い送信電力レベル(たとえば、5〜40ワット)を有してもよく、一方、ピコBS、フェムトBS、および中継BSは、より低い送信電力レベル(たとえば、0.1〜2ワット)を有してもよい。
【００２２】
ネットワークコントローラ130は、BSのセットに結合してもよく、これらのBSのための協働および制御を行ってもよい。ネットワークコントローラ130は、バックホールを経由してBSと通信してもよい。BSはまた、たとえば、ワイヤレスまたはワイヤラインのバックホールを経由して直接または間接的に互いに通信してもよい。
【００２３】
UE120(たとえば、120a、120b、120c)はワイヤレスネットワーク100全体にわたって分散されてもよく、各UEは固定されてもよく、またはモバイルであってもよい。UEは、アクセス端末、端末、移動局、加入者ユニット、ステーションなどと呼ばれることもある。UEは、携帯電話(たとえば、スマートフォン)、携帯情報端末(PDA)、ワイヤレスモデム、ワイヤレス通信デバイス、ハンドヘルドデバイス、ラップトップコンピュータ、コードレス電話、ワイヤレスローカルループ(WLL)局、タブレット、カメラ、ゲームデバイス、ネットブック、スマートブック、ウルトラブック、医療デバイスもしくは医療機器、生体センサ/デバイス、(スマートウォッチ、スマートクロージング、スマートグラス、スマートリストバンド、スマートジュエリー(たとえば、スマートリング、スマートブレスレットなど)などの)ウェアラブルデバイス、エンターテインメントデバイス(たとえば、音楽デバイス、ビデオデバイス、衛星ラジオなど)、車両の構成要素もしくはセンサ、スマートメーター/センサ、産業用製造機器、全地球測位システムデバイス、または、ワイヤレス媒体もしくはワイヤード媒体を介して通信するように構成される任意の他の適切なデバイスであってもよい。いくつかのUEは、発展型または拡張マシンタイプ通信(eMTC)UEと見なされてもよい。MTC UEおよびeMTC UEは、たとえば、基地局、別のデバイス(たとえば、リモートデバイス)、またはいくつかの他のエンティティと通信することがある、ロボット、ドローン、センサ、メーター、モニタ、ロケーションタグなどのリモートデバイスなどを含む。ワイヤレスノードは、たとえば、ワイヤード通信リンクまたはワイヤレス通信リンクを介して、ネットワーク(たとえば、インターネットまたはセルラーネットワークなどのワイドエリアネットワーク)のための、またはネットワークへの接続性を実現してもよい。一部のUEは、モノのインターネット(IoT)デバイスと見なされてもよい。一部のUEは、顧客構内機器(CPE)と見なされてもよい。
【００２４】
図1において、両矢印を有する実線は、UEとサービングBSとの間の所望の送信を示し、サービングBSは、ダウンリンク上および/またはアップリンク上でUEをサービスするように指定されたBSである。両矢印を有する破線は、UEとBSとの間の潜在的に干渉する送信を示す。
【００２５】
一般に、任意の数のワイヤレスネットワークが、所与の地理的エリアにおいて展開される場合がある。各ワイヤレスネットワークは、特定のRATをサポートしてもよく、1つまたは複数の周波数で動作してもよい。RATは、無線技術、エアインターフェースなどと呼ばれることもある。周波数は、キャリア、周波数チャネルなどと呼ばれることもある。各周波数は、異なるRATのワイヤレスネットワーク間の干渉を回避するために、所与の地理的エリアにおいて単一のRATをサポートしてもよい。場合によっては、5G RATネットワークが展開されてもよい。
【００２６】
いくつかの例では、エアインターフェースへのアクセスがスケジュールされてもよく、スケジューリングエンティティ(たとえば、基地局)は、そのサービスエリアまたはセル内のいくつかまたはすべてのデバイスおよび機器の間で通信用のリソースを割り振る。本開示内で、以下でさらに論じるように、スケジューリングエンティティは、1つまたは複数の従属エンティティのためのリソースのスケジューリング、割当て、再構成、および解放を担ってもよい。すなわち、スケジュールされた通信のために、従属エンティティは、スケジューリングエンティティによって割り振られるリソースを利用する。
【００２７】
基地局は、スケジューリングエンティティとして機能する場合がある唯一のエンティティではない。すなわち、いくつかの例では、UEが、1つまたは複数の従属エンティティ(たとえば、1つまたは複数の他のUE)のためのリソースをスケジュールする、スケジューリングエンティティとして機能してもよい。この例では、UEは、スケジューリングエンティティとして機能しており、他のUEは、ワイヤレス通信のためにUEによってスケジュールされたリソースを利用する。UEは、ピアツーピア(P2P)ネットワーク内、および/またはメッシュネットワーク内で、スケジューリングエンティティとして機能してもよい。メッシュネットワーク例では、UEは、スケジューリングエンティティと通信することに加えて、随意に互いに直接通信してもよい。
【００２８】
したがって、時間-周波数リソースへのスケジュールされたアクセスを伴い、セルラー構成、P2P構成、およびメッシュ構成を有するワイヤレス通信ネットワークでは、スケジューリングエンティティおよび1つまたは複数の従属エンティティは、スケジュールされたリソースを利用して通信してもよい。
【００２９】
上記のように、図1は単に例として示されている。他の例が可能であり、図1に関して説明したことと異なってもよい。
【００３０】
図2は、図1の基地局の1つである場合がある基地局110および図1のUEの1つである場合があるUE120の設計のブロック図を示している。基地局110はT個のアンテナ234a〜234tを備えてもよく、UE120はR個のアンテナ252a〜252rを備えてもよく、ただし、一般にT≧1およびR≧1である。
【００３１】
基地局110において、送信プロセッサ220は、データソース212から1つまたは複数のUEのためのデータを受信し、UEから受信されたチャネル品質インジケータ(CQI)に少なくとも部分的に基づいて各UE用の1つまたは複数の変調およびコーディング方式(MCS)を選択し、UE用に選択されたMCSに少なくとも部分的に基づいて各UE用のデータを処理(たとえば、符号化および変調)し、データシンボルをすべてのUEに与えてもよい。送信プロセッサ220はまた、(たとえば、半静的リソース区分情報(SRPI)などについての)システム情報および制御情報(たとえば、CQI要求、許可、上位レイヤシグナリングなど)を処理し、オーバーヘッドシンボルおよび制御シンボルを与えてもよい。送信プロセッサ220はまた、基準信号(たとえば、CRS)および同期信号(たとえば、1次同期信号(PSS)および2次同期信号(SSS))用の基準シンボルを生成してもよい。送信(TX)多入力多出力(MIMO)プロセッサ230は、適用可能な場合、データシンボル、制御シンボル、オーバーヘッドシンボル、および/または基準シンボルに対して空間処理(たとえば、プリコーディング)を実行してもよく、T個の出力シンボルストリームをT個の変調器(MOD)232a〜232tに与えてもよい。各変調器232は、(たとえば、OFDM用などに)それぞれの出力シンボルストリームを処理して出力サンプルストリームを取得してもよい。各変調器232は、出力サンプルストリームをさらに処理(たとえば、アナログに変換、増幅、フィルタ処理、およびアップコンバート)して、ダウンリンク信号を取得してもよい。変調器232a〜232tからのT個のダウンリンク信号は、それぞれ、T個のアンテナ234a〜234tを介して送信されてもよい。本明細書で以下に詳しく説明するいくつかの態様によれば、同期信号を位置符号化によって生成して追加の情報を伝達することができる。
【００３２】
UE120において、アンテナ252a〜252rは、基地局110および/または他の基地局からダウンリンク信号を受信してもよく、それぞれ、受信信号を復調器(DEMOD)254a〜254rに与えてもよい。各復調器254は、それぞれの受信信号を調整(たとえば、フィルタリング、増幅、ダウンコンバート、およびデジタル化)して、入力サンプルを取得してもよい。各復調器254は、(たとえば、OFDM用などに)入力サンプルをさらに処理して受信シンボルを取得してもよい。MIMO検出器256は、すべてのR個の復調器254a〜254rから受信シンボルを取得し、適用可能な場合、受信シンボルに対してMIMO検出を実行し、検出されたシンボルを供給してもよい。受信プロセッサ258は、検出されたシンボルを処理(たとえば、復調および復号)し、UE120のための復号データをデータシンク260に与え、復号された制御情報およびシステム情報をコントローラ/プロセッサ280に与えてもよい。チャネルプロセッサは、RSRP、RSSI、RSRQ、CQIなどを決定してもよい。
【００３３】
アップリンク上では、UE120において、送信プロセッサ264は、データソース262からのデータ、およびコントローラ/プロセッサ280からの(たとえば、RSRP、RSSI、RSRQ、CQIなどを備える報告用の)制御情報を、受信および処理してもよい。送信プロセッサ264はまた、1つまたは複数の基準信号用の基準シンボルを生成してもよい。送信プロセッサ264からのシンボルは、適用可能な場合、TX MIMOプロセッサ266によってプリコードされ、(たとえば、DFT-s-OFDM、CP-OFDM用などに)変調器254a〜254rによってさらに処理され、基地局110に送信されてもよい。基地局110において、UE120および他のUEからのアップリンク信号は、アンテナ234によって受信され、復調器232によって処理され、該当する場合はMIMO検出器236によって検出され、受信プロセッサ238によってさらに処理されて、UE120によって送られた復号されたデータおよび制御情報を取得してもよい。受信プロセッサ238は、復号されたデータをデータシンク239に供給し、復号された制御情報をコントローラ/プロセッサ240に供給してもよい。基地局110は、通信ユニット244を含み、通信ユニット244を介してネットワークコントローラ130と通信してもよい。ネットワークコントローラ130は、通信ユニット294と、コントローラ/プロセッサ290と、メモリ292とを含んでもよい。
【００３４】
コントローラ/プロセッサ240および280ならびに/または図2における任意の他の構成要素は、それぞれ基地局110およびUE120における動作を指示して、本明細書の他の箇所でより詳細に説明するように共通アップリンクバーストのための技法を実行してもよい。たとえば、コントローラ/プロセッサ280ならびに/またはUE120にある他のプロセッサおよびモジュールは、UE120の動作を実行または指示して、本明細書の他の箇所でより詳細に説明するように共通アップリンクバーストのための技法を実行してもよい。たとえば、コントローラ/プロセッサ280ならびに/またはUE120における他のコントローラ/プロセッサおよびモジュールは、たとえば、図17のプロセス1700および/または本明細書で説明する他のプロセスの動作を実行または指示してもよい。いくつかの態様では、図2に示す構成要素のうちの1つまたは複数は、例示的なプロセス1700および/または本明細書で説明する技法のための他のプロセスを実行するために用いられてもよい。メモリ242および282は、それぞれ、基地局110およびUE120のためのデータおよびプログラムコードを記憶してもよい。スケジューラ246は、ダウンリンク上および/またはアップリンク上のデータ送信に対してUEをスケジュールしてもよい。
【００３５】
上記のように、図2は単に例として示されている。他の例が可能であり、図2に関して説明したことと異なってもよい。
【００３６】
図3は、電気通信システム(たとえば、LTE)におけるFDDのための例示的なフレーム構造300を示す。ダウンリンクおよびアップリンクの各々に対する送信タイムラインは、無線フレームの単位に区分されてもよい。各無線フレームは、サブフレームとして区分されてもよい。各サブフレームはいくつかのスロットを含んでもよい。各スロットは、L個のシンボル期間、たとえば、(図3に示すように)ノーマルサイクリックプレフィックスに対して7個のシンボル期間、または拡張サイクリックプレフィックスに対して6個のシンボル期間を含んでもよい。
【００３７】
本明細書ではいくつかの態様についてフレーム、サブフレーム、スロットなどに関して説明するが、これらの態様は、他の種類のワイヤレス通信構造に同様に適用されてもよく、そのようなワイヤレス通信構造は、5GNRにおける「フレーム」、「サブフレーム」、「スロット」など以外の用語で呼ばれることがある。
【００３８】
特定の電気通信(たとえば、LTE)において、BSは、BSによってサポートされるセルごとのシステム帯域幅の中心において、ダウンリンク上で1次同期信号(PSS)および2次同期信号(SSS)を送信してもよい。PSSおよびSSSは、セル探索およびセル捕捉のためにUEによって使用されてもよい。BSは、BSによってサポートされるセルごとのシステム帯域幅にわたってセル固有基準信号(CRS)を送信してもよい。CRSは、各サブフレームのいくつかのシンボル期間の中で送信されてよく、チャネル推定、チャネル品質測定、および/または他の機能を実行するためにUEによって使用されてもよい。BSはまた、いくつかの無線フレームのスロット1の中のシンボル期間0〜3の中で物理ブロードキャストチャネル(PBCH)を送信してもよい。PBCHは、いくつかのシステム情報を搬送してもよい。BSは、いくつかのサブフレーム中の物理ダウンリンク共有チャネル(PDSCH)上で、システム情報ブロック(SIB)などの他のシステム情報を送信してもよい。BSは、サブフレームの最初のB個のシンボル期間の中で物理ダウンリンク制御チャネル(PDCCH)上で制御情報/データを送信してもよく、ここで、Bはサブフレームごとに構成可能であってよい。BSは、各サブフレームの残りのシンボル期間の中でPDSCH上でトラフィックデータおよび/または他のデータを送信してもよい。
【００３９】
(たとえば、5Gシステムなどの)他のシステムでは、ノードBは、サブフレームのこれらのロケーションまたは異なるロケーションにおいて、これらまたは他の信号を送信してもよい。
【００４０】
上記のように、図3は単に例として示されている。他の例が可能であり、図3に関して説明したことと異なってもよい。
【００４１】
図4は、ノーマルサイクリックプレフィックスを有する2つの例示的なサブフレームフォーマット410および420を示す。利用可能な時間周波数リソースは、リソースブロックに区分されてもよい。各リソースブロックは、1つのスロットの中で12個のサブキャリアをカバーしてもよく、いくつかのリソース要素を含んでもよい。各リソース要素は、1つのシンボル期間において1つのサブキャリアをカバーしてもよく、実数値または複素数値であることもある1つの変調シンボルを送るために使用されてもよい。
【００４２】
サブフレームフォーマット410は、2つのアンテナのために使用されてもよい。サブフレームフォーマット420は、4つのアンテナとともに使用されてもよい。サブフレームフォーマット410と420の両方に対して、CRSは、少なくとも部分的にセルIDに基づいて決定される場合がある、均等に離間したサブキャリア上で送信されてもよい。CRSは、それらのセルIDに応じて、同じかまたは異なるサブキャリア上で送信されてもよい。サブフレームフォーマット410と420の両方について、CRSのために使用されないリソース要素は、データ(たとえば、トラフィックデータ、制御データ、および/または他のデータ)を送信するために使用されてもよい。LTEにおけるPSS、SSS、CRS、およびPBCHは、一般公開された「Evolved Universal Terrestrial Radio Access (E-UTRA); Physical Channels and Modulation」と題する3GPP TS 36.211に記載されている。
【００４３】
ワイヤレスネットワークは、ダウンリンク上およびアップリンク上でのデータ送信に対して、ハイブリッド自動再送要求(HARQ)をサポートしてもよい。HARQの場合、送信機(たとえばBS)は、パケットが受信機(たとえば、UE)によって正しく復号されるか、またはいくつかの他の終了条件に遭遇するまで、パケットの1つまたは複数の送信を送ってもよい。同期HARQの場合、パケットのすべての送信は、単一のインターレースのサブフレームの中で送られてもよい。非同期HARQの場合、パケットの各送信は、任意のサブフレームの中で送られてもよい。
【００４４】
本明細書で説明する例の態様はLTE技術に関連する場合があるが、本開示の態様は、5G技術など、他のワイヤレス通信システムに適用可能であってもよい。5Gとは、(たとえば、直交周波数分割多元接続(OFDMA)ベースのエアインターフェース以外の)新たなエアインターフェースまたは(たとえば、インターネットプロトコル(IP)以外の)固定トランスポートレイヤに従って動作するように構成された無線を指すことがある。各態様では、5Gは、CPを含むOFDM(本明細書ではサイクリックプレフィックスOFDMもしくはCP-OFDMと呼ばれる)および/またはSC-FDMをアップリンク上で利用してもよく、ダウンリンク上でCP-OFDMを利用し、TDDを使用する半二重動作のサポートを含んでもよい。各態様では、5Gは、たとえば、CPを含むOFDM(本明細書ではCP-OFDMと呼ばれる)および/または離散フーリエ変換拡散直交周波数-分割多重化(DFT-s-OFDM)をアップリンク上で利用してもよく、ダウンリンク上でCP-OFDMを利用し、TDDを使用する半二重動作のサポートを含んでもよい。5Gは、拡張モバイルブロードバンド(eMBB)サービスターゲットの広い帯域幅(たとえば、80MHzを超える)、ミリ波(mmW)ターゲットの高いキャリア周波数(たとえば、60GHz)、マッシブMTC(mMTC)ターゲットの後方互換性のないMTC技法、および/またはミッションクリティカルターゲットの超高信頼低レイテンシ通信(URLLC:ultra reliable low latency communications)サービスを含んでもよい。
【００４５】
100MHzの単一のコンポーネントキャリア帯域幅がサポートされてもよい。5Gリソースブロックは、0.1msの持続時間にわたって、サブキャリア帯域幅が75kHzの12個のサブキャリアにまたがってもよい。各無線フレームは、10msの長さを有する50個のサブフレームを含んでもよい。結果として、各サブフレームは0.2msの長さを有してもよい。各サブフレームは、データ送信用のリンク方向(たとえば、DLまたはUL)を示してもよく、サブフレームごとのリンク方向は、動的に切り替えられてもよい。各サブフレームは、DL/ULデータならびにDL/UL制御データを含んでもよい。5Gに関するULサブフレームおよびDLサブフレームについては、図7および図8を参照して以下でより詳細に説明する場合がある。
【００４６】
ビームフォーミングがサポートされてもよく、ビーム方向が動的に構成されてもよい。プリコーディングを用いたMIMO送信もサポートされてもよい。DLにおけるMIMO構成は、最高で8個のストリームおよびUEごとに最高で2個のストリームを用いたマルチレイヤDL送信で最高で8個の送信アンテナをサポートしてもよい。UEごとに最高で2個のストリームを用いたマルチレイヤ送信がサポートされてもよい。最高で8個のサービングセルを用いて複数のセルのアグリゲーションがサポートされてもよい。代替として、5Gは、OFDMベースのインターフェース以外の異なるエアインターフェースをサポートしてもよい。5Gネットワークは、中心ユニットまたは分散ユニットなどのエンティティを含んでもよい。
【００４７】
上記のように、図4は単に例として示されている。他の例が可能であり、図4に関して説明したことと異なってもよい。
【００４８】
図5は、本開示の態様による、分散型RAN500の例示的な論理アーキテクチャを示す。5Gアクセスノード506は、アクセスノードコントローラ(ANC)502を含んでもよい。ANCは、分散型RAN500の中央装置(CU)であってよい。次世代コアネットワーク(NG-CN)504へのバックホールインターフェースは、ANCにおいて終端してもよい。近隣次世代アクセスノード(NG-AN)へのバックホールインターフェースは、ANCにおいて終端してもよい。ANCは、1つまたは複数のTRP508(BS、5GBS、ノードB、5GNB、AP、gNB、または何らかの他の用語で呼ばれることもある)を含んでもよい。上記で説明したように、TRPが「セル」と互換的に使用されてもよい。
【００４９】
TRP508は、分散ユニット(DU)であってもよい。TRPは、1つのANC(ANC502)に接続されてよく、または2つ以上のANC(図示せず)に接続されてもよい。たとえば、RAN共有、サービスとしての無線(RaaS:radio as a service)、およびサービス固有のAND展開に関して、TRPは2つ以上のANCに接続されてもよい。TRPは、1つまたは複数のアンテナポートを含んでもよい。TRPは、UEへのトラフィックを個別に(たとえば、動的選択)または協働で(たとえば、ジョイント送信)サービスするように構成されてもよい。
【００５０】
RAN500の論理アーキテクチャは、フロントホール定義を示すために使用されてもよい。異なる配置タイプにわたるフロントホーリング解決策(fronthauling solution)をサポートするアーキテクチャが定義されてもよい。たとえば、アーキテクチャは、少なくとも部分的に送信ネットワーク能力(たとえば、帯域幅、レイテンシ、および/またはジッタ)に基づいてもよい。
【００５１】
アーキテクチャは、特徴および/または構成要素をLTEと共有してもよい。態様によれば、次世代AN(NG-AN)510は、NRとの二重接続性をサポートしてもよい。NG-ANは、LTEおよびNRに対して共通フロントホールを共有してもよい。
【００５２】
アーキテクチャは、TRP508間の協働を可能にしてもよい。たとえば、協働は、TRP内にあらかじめ設定されてもよく、かつ/またはANC502を介してTRP全体にわたってあらかじめ設定されてもよい。態様によれば、TRP間インターフェースが必要とされない/存在しない場合がある。
【００５３】
態様によれば、RAN500のアーキテクチャ内に、分割された論理機能の動的構成が存在する場合がある。PDCP、RLC、MACプロトコルは、ANCまたはTRPにおいて適用可能に位置付けられてもよい。
【００５４】
いくつかの態様によれば、BSは、中央ユニット(たとえば、ANC502)および/または1つもしくは複数の分散ユニット(たとえば、1つもしくは複数のTRP508)を含んでもよい。
【００５５】
上記のように、図5は単に例として示されている。他の例が可能であり、図5に関して説明したことと異なってもよい。
【００５６】
図6は、本開示の態様による、分散型RAN600の例示的な物理アーキテクチャを示す。集中型コアネットワークユニット(C-CU)602は、コアネットワーク機能をホストしてもよい。C-CUは、中央に展開されてもよい。C-CU機能は、ピーク容量を処理するように(たとえば、アドバンストワイヤレスサービス(AWS:advanced wireless services)に)オフロードされてもよい。
【００５７】
集中型RANユニット(C-RU)604は、1つまたは複数のANC機能をホストしてもよい。場合によっては、C-RUは、コアネットワーク機能を局所的にホストしてもよい。C-RUは分散型展開を有してよい。C-RUは、ネットワークエッジのより近くにあってもよい。
【００５８】
分散ユニット(DU)606は、1つまたは複数のTRPをホストしてもよい。DUは、無線周波数(RF)機能を備えたネットワークのエッジに位置してもよい。
【００５９】
上記のように、図6は単に例として示されている。他の例が可能であり、図6に関して説明したことと異なってもよい。
【００６０】
図7は、DL中心のサブフレームまたはワイヤレス通信構成の一例を示す図700である。DL中心のサブフレームは、制御部分702を含んでもよい。制御部分702は、DL中心のサブフレームの最初の部分または開始部分に存在してもよい。制御部分702は、DL中心のサブフレームの様々な部分に対応する様々なスケジューリング情報および/または制御情報を含んでもよい。いくつかの構成では、制御部分702は、図7に示すように、物理DL制御チャネル(PDCCH)であってもよい。
【００６１】
DL中心のサブフレームはまた、DLデータ部分704を含んでもよい。DLデータ部分704は、DL中心のサブフレームのペイロードと呼ばれことがある。DLデータ部分704は、スケジューリングエンティティ(たとえば、UEまたはBS)から下位のエンティティ(たとえば、UE)にDLデータを通信するために利用される通信リソースを含んでもよい。いくつかの構成では、DLデータ部分704は物理DL共有チャネル(PDSCH)であってもよい。
【００６２】
DL中心のサブフレームはまた、共通UL部分706を含んでもよい。共通UL部分706は場合によっては、ULバースト、ULバースト部分、共通ULバースト、ショートバースト、ULショートバースト、共通ULショートバースト、共通ULショートバースト部分、および/または様々な他の適切な用語で呼ばれることがある。いくつかの態様では、共通UL部分706は1つまたは複数の基準信号を含んでもよい。追加または代替として、共通UL部分706は、DL中心のサブフレームの様々な他の部分に対応するフィードバック情報を含んでもよい。たとえば、共通UL部分706は、制御部分702および/またはデータ部分704に対応するフィードバック情報を含んでもよい。共通UL部分706に含まれる場合がある情報の非限定的な例には、ACK信号(たとえば、PUCCH ACK、PUSCH ACK、即時ACK)、NACK信号(たとえば、PUCCH NACK、PUSCH NACK、即時NACK)、スケジューリング要求(SR)、バッファステータス報告(BSR)、HARQインジケータ、チャネル状態指示(CSI)、チャネル品質インジケータ(CQI)、サウンディング基準信号(SRS)、復調基準信号(DMRS)、PUSCHデータ、および/または様々な他の適切な種類の情報が含まれる。共通UL部分706は、ランダムアクセスチャネル(RACH)手順、スケジューリング要求に関する情報、および様々な他の適切なタイプの情報などの、追加のまたは代替の情報を含んでもよい。
【００６３】
本明細書で説明する技法は、ワイヤレス通信構造(たとえば、DL中心のサブフレームまたはUL中心のサブフレームなどのサブフレーム)を少なくともデータ部分704と共通アップリンク部分706とを含むように構成することに関し、この場合、共通アップリンク部分は、第1のシンボル708と第2のシンボル710とを含む。たとえば、UE(たとえば、UE120)は、DL中心のサブフレームを少なくともデータ部分704と共通アップリンク部分706とを含むように構成してもよく、共通アップリンク部分706を第1のシンボル708と第2のシンボル710とを含むように構成してもよい。第1のシンボル708は、第2のシンボル710に先行してもよい。いくつかの態様では、第1のシンボル708および第2のシンボル710は、データ部分704などの、ワイヤレス通信構造の別の部分に含まれる1つまたは複数のシンボルよりも短いシンボル持続時間を有するように構成されてもよい。いくつかの態様では、第1のシンボル708と第2のシンボル710は、互いに異なるシンボル持続時間を有するように構成されてもよい。いくつかの態様では、ワイヤレス通信構造を構成することは、少なくとも時間領域における送信単位を定義するステップを含んでもよい。
【００６４】
いくつかの態様では、UEは、データ部分704とは異なる(たとえば、データ部分704よりも大きい)サブキャリア間隔を有する共通アップリンク部分706を構成して、共通アップリンク部分706について異なるシンボル持続時間を実現するように構成してもよい。たとえば、データ部分704は、サブキャリア間隔が15kHzであり、それによってシンボル持続時間が1/14ミリ秒になるように構成されてもよく、共通アップリンク部分706は、サブキャリア間隔が30kHzであり、それによってシンボル持続時間が1/28ミリ秒になるように構成されてもよい。このようにして、UEは、本明細書の他の箇所でより詳細に説明するように、第2のシンボル710を使用して送信すべきアップリンクペイロードデータ用に追加の処理時間(たとえば、1/28ミリ秒)を確保してもよい。いくつかの態様では、第1のシンボル708と第2のシンボル710は、互いに異なるサブキャリア間隔を有し、それによって第1のシンボル708と第2のシンボル710のシンボル持続時間が異なるように構成されてもよい。
【００６５】
図7に示すように、DLデータ部分704の終了点は、共通UL部分706の開始点から時間的に分離されてもよい。この時間分離は、場合によっては、ギャップ、ガード期間、ガードインターバル、および/または様々な他の好適な用語で呼ばれることがある。この分離は、DL通信(たとえば、下位のエンティティ(たとえば、UE)による受信動作)からUL通信(たとえば、下位のエンティティ(たとえば、UE)による送信動作)への切替えのための時間をもたらす。上記のことは、DL中心のワイヤレス通信構造の単なる一例であり、本明細書で説明する態様から必ずしも逸脱せずに、同様の特徴を有する代替構造が存在してもよい。
【００６６】
上記のように、図7は単に例として示されている。他の例が可能であり、図7に関して説明したことと異なってもよい。
【００６７】
図8は、UL中心のサブフレームまたはワイヤレス通信構造の一例を示す図800である。UL中心のサブフレームは、制御部分802を含んでもよい。制御部分802は、UL中心のサブフレームの最初の部分または開始部分に存在してもよい。図8における制御部分802は、図8を参照しながら上記で説明した制御部分802と同様であってもよい。いくつかの構成では、制御部分802は、物理DL制御チャネル(PDCCH)であってもよい。
【００６８】
UL中心のサブフレームはまた、ULデータ部分804を含んでもよい。ULデータ部分804は、場合によっては、UL中心のサブフレームのペイロードと呼ばれことがある。ULデータ部分804は、下位エンティティ(たとえば、UE)からスケジューリングエンティティ(たとえば、UEまたはBS)にULデータを通信するために利用される通信リソースを指す場合がある。
【００６９】
図8に示すように、制御部分802の終了点は、ULデータ部分804の開始点から時間的に分離されてもよい。この時間の分離は、場合によっては、ギャップ、ガード期間、ガードインターバル、および/または様々な他の適切な用語で呼ばれてもよい。この分離は、DL通信(たとえば、スケジューリングエンティティによる受信動作)からUL通信(たとえば、スケジューリングエンティティによる送信動作)への切替えのための時間をもたらす。
【００７０】
UDL中心のサブフレームはまた、共通UL部分806を含んでもよい。図8における共通UL部分806は、図7に関して上記で説明した共通UL部分706と同様であってもよく、図7に関して上記で説明した情報のいずれを含んでもよい。上記のことは、UL中心のワイヤレス通信構造の単なる一例であり、本明細書で説明する態様から必ずしも逸脱せずに、同様の特徴を有する代替構造が存在してもよい。
【００７１】
図7に関して上記で説明したのと同様に、UE(たとえば、UE120)は、ワイヤレス通信構造を少なくともデータ部分804と共通アップリンク部分806とを含むように構成してもよく、この場合、共通アップリンク部分は、第1のシンボル808と第2のシンボル810とを含む。たとえば、UEは、UL中心のサブフレームを少なくともデータ部分804と共通アップリンク部分806とを含むように構成してもよく、共通アップリンク部分806を第1のシンボル808と第2のシンボル810とを含むように構成してもよい。第1のシンボル808は、第2のシンボル810に先行してもよい。いくつかの態様では、第1のシンボル808および第2のシンボル810は、データ部分804などの、ワイヤレス通信構造の別の部分に含まれる1つまたは複数のシンボルよりも短いシンボル持続時間を有するように構成されてもよい。いくつかの態様では、ワイヤレス通信構造を構成することは、少なくとも時間領域における送信単位を定義することを含んでもよい。
【００７２】
いくつかの状況では、2つ以上の下位のエンティティ(たとえば、UE)はサイドリンク信号を使用して互いと通信してもよい。そのようなサイドリンク通信の現実世界の適用例は、公共安全、近接サービス、UEからネットワークへの中継、車両間(V2V)通信、インターネットオブエブリシング(IoE)通信、IoT通信、ミッションクリティカルメッシュ、および/または様々な他の好適な適用例を含んでもよい。一般に、サイドリンク信号は、スケジューリングおよび/または制御のためにスケジューリングエンティティが利用される場合があるにもかかわらず、スケジューリングエンティティ(たとえば、UEまたはBS)を通じて通信を中継せずに、ある下位のエンティティ(たとえば、UE1)から別の下位のエンティティ(たとえば、UE2)に通信される信号を指す場合がある。いくつかの例では、サイドリンク信号は、(通常は無認可スペクトルを使用するワイヤレスローカルエリアネットワークとは異なり)認可スペクトルを使用して通信されてもよい。
【００７３】
一例では、フレームなどのワイヤレス通信構造は、UL中心のサブフレームとDL中心のサブフレームの両方を含んでもよい。この例では、フレーム内のDLサブフレームに対するUL中心のサブフレームの割合は、送信されるULデータの量およびDLデータの量に少なくとも部分的に基づいて動的に調整されてもよい。たとえば、ULデータの方が多い場合、DLサブフレームに対するUL中心のサブフレームの割合を大きくしてもよい。逆に、DLデータの方が多い場合、DLサブフレームに対するUL中心のサブフレームの割合を小さくしてもよい。
【００７４】
上記のように、図8は単に例として示されている。他の例が可能であり、図8に関して説明したことと異なってもよい。
【００７５】
5Gにおいて、ワイヤレス通信構造(たとえば、本明細書ではサブフレームと呼ばれることもあるが、同様の種類の周期的な時間制限ワイヤレス通信構造を含んでもよい)の共通アップリンク部分706、806は、たとえば、サウンディング基準信号(SRS)、復調基準信号(DMRS)などの基準信号を送信するためにUE(たとえば、UE120)によって使用されてもよい。追加または代替として、共通アップリンク部分706、806は、物理アップリンク制御チャネル(PUCCH)確認応答指示(たとえば、ACKまたはNACK)、PUCCHスケジューリング要求(SR)、PUCCHバッファステータス報告(BSR)、PUCCHチャネル状態表示情報(CSI)、物理アップリンク共有チャネル(PUSCH)確認応答指示(たとえば、ACKまたはNACK)、PUSCHデータなどのアップリンクペイロードを送信するためにUEによって使用されてもよい。
【００７６】
いくつかの態様では、UEは、サブフレームの共通アップリンク部分706、806を使用して、同じサブフレームのデータ部分(たとえば、図7に関して上記で説明したダウンリンクデータ部分704)において受信された通信情報に応答して確認応答指示(たとえば、ACKまたはNACK)を送信してもよい。この確認応答指示は、確認応答指示をトリガするデータが受信されるのと同じサブフレームにおいて送信されるので、即時確認応答指示(たとえば、即時ACKまたは即時NACK)と呼ばれることもある。たとえば、図7を参照するとわかるように、UEは、サブフレームのデータ部分704の間にダウンリンクを受信してもよく、サブフレームの共通アップリンク部分706の間に、ダウンリンクデータに含まれる通信情報に応答して肯定応答指示または否定応答指示を送信してもよい。言い換えれば、UEは、介在する共通アップリンク部分706なしにデータ部分704の直後の共通アップリンク部分706において確認応答指示を送信してもよい。
【００７７】
UEは、受信された通信情報に応答して確認応答指示を送信する前に、通信情報を復号すること、巡回冗長検査を実行すること、確認応答指示を生成すること、確認応答指示を符号化すること、および/または確認応答指示を送信のためにシンボルにマップすることなどの1つまたは複数の動作を実行してもよい。これらの動作は時間がかかるので、UEはすべての動作を時間内に実行して、受信された通信情報と同じサブフレーム内の共通アップリンク部分706の第1のシンボルにおいて即時確認応答指示を送信することができない場合がある。
【００７８】
UEは、即時確認応答用の追加の処理時間を確保するために、共通アップリンク部分706、806の第1のシンボルを使用して1つまたは複数の基準信号(たとえば、DMRS、SRSなど)を送信してもよく、共通アップリンク部分706、806の第2のシンボルを使用して即時確認応答指示などのアップリンクペイロードを送信してもよい。いくつかの態様では、UEは、共通アップリンク部分706、806をサブフレームの(たとえば、1/14ミリ秒または何らかの他の持続時間を有する)1つまたは複数の他のシンボルよりも短いシンボル持続時間(たとえば、1/28ミリ秒または何らかの他の持続時間)を有するように構成し、それにより、共通アップリンク部分706、806の第1のシンボルの間に追加の処理時間を確保してもよく、それによって、即時確認応答指示は、共通アップリンク部分706、806の持続時間を延ばさずに共通アップリンク部分706、806の第2のシンボルにおいて送信される場合がある。UEは、即時確認応答指示を送信することにより、基地局が否定応答通信情報をより高速に再送し、および/または肯定応答をより高速に受信するのを可能にすることによって、ネットワークレイテンシおよび/または再送時間を短縮する。サブフレームの共通アップリンク部分の構成に関して以下でより詳細に説明する。
【００７９】
図9は、本開示の様々な態様による、共通アップリンクバーストのための技法の一例900を示す図である。
【００８０】
図9に示すように、UE(たとえば、UE120)は、ワイヤレス通信構造を少なくともデータ部分704、804と共通アップリンク部分706、806とを含むように構成してもよい。いくつかの態様では、UEは、図7および図8に関して上記で説明したように、ワイヤレス通信構造を制御部分702、802、データ部分704、804、ガード期間、および/または共通アップリンク部分706、806を含むように構成してもよい。図示のように、UEは、共通アップリンク部分706、806を第1のシンボル910と第2のシンボル920とを含むように構成してもよく、この場合、時間領域において第1のシンボル910が第2のシンボル920に先行する。
【００８１】
UEは、1つまたは複数の基準信号930の少なくとも一部を第1のシンボル910または第2のシンボル920の少なくとも一方にマップしてもよく、アップリンクペイロード940の少なくとも一部を第1のシンボル910または第2のシンボル920の少なくとも一方にマップしてもよい。1つまたは複数の基準信号930は、たとえば、DMRS、SRSなどを含んでもよい。いくつかの態様では、アップリンクペイロード940は、PUCCH確認応答指示、PUSCH TCP確認応答指示などの、確認応答指示(たとえば、肯定応答指示(ACK)または否定応答指示(NACK))を含んでもよい。いくつかの態様では、確認応答指示は、データ部分704の間に受信されるダウンリンクデータに含まれる通信情報に対する即時確認応答指示であってもよい。いくつかの態様では、アップリンクペイロード940は、データ部分704の間に受信されるダウンリンクデータに含まれる通信情報に基づかない情報を含んでもよい。たとえば、アップリンクペイロード940は、PUCCHスケジューリング要求(SR)、PUCCHバッファステータス報告(BSR)、PUCCHチャネル状態指示(CSI)、PUCCHデータ、PUSCHデータなどを含んでもよい。
【００８２】
たとえば、UEは、共通アップリンク部分706、806の第1のシンボル910にDMRSをマップしてもよく、共通アップリンク部分706、806の第2のシンボル920に即時確認応答指示をマップしてもよい。このようにして、UEは、第1のシンボル910に即時確認応答をマップすることまたは共通アップリンク部分706、806を(たとえば、制御部分702、802内および/またはデータ部分704、804内などの、サブフレーム内に含まれる1つまたは複数の他のシンボルと同じ持続時間を有する)単一のシンボルを含むように構成することと対照して、即時確認応答指示を生成して送信することに関連する動作を行うための、第1のシンボル910における追加の処理時間を確保する。この追加の処理時間がない場合、UEは、即時確認応答指示を、即時確認応答指示に対応するダウンリンクデータと同じサブフレームにおいて送信することができない場合がある。UEは、即時確認応答指示に対応するダウンリンクデータと同じワイヤレス通信構造における即時確認応答指示を送信することにより、基地局が否定応答通信情報をより高速に再送し、かつ肯定応答をより高速に受信するのを可能にすることによって、ネットワークレイテンシおよび/または再送時間を短縮する。
【００８３】
いくつかの態様では、UEは、共通アップリンク部分706、806をワイヤレス通信構造の1つまたは複数の他の部分(たとえば、制御部分702、802、データ部分704、804、ガード期間など)と同じシンボル持続時間を有するように構成してもよい。このようにして、UEは、場合によってはワイヤレス通信構造のそれぞれに異なる部分のそれぞれに異なるシンボル持続時間同士を切り替えるために使用される処理リソースを節約しつつ、アップリンクペイロードを送信するための処理時間を確保する。
【００８４】
いくつかの態様では、UEは、共通アップリンク部分706、806をワイヤレス通信構造の1つまたは複数の他のシンボルよりも短いシンボル持続時間(たとえば、制御部分702、802、データ部分704、804、ガード期間などに含まれる1つまたは複数のシンボルよりも短いシンボル持続時間)を有するように構成してもよい。このようにして、UEは、共通アップリンク部分706、806の持続時間を延ばさずにアップリンクペイロードを送信するための処理時間を確保し、それによって、サブフレームの他の部分の時間リソースを節約する。
【００８５】
UEは、共通アップリンク部分706、806のシンボル持続時間を短縮するために、共通アップリンク部分706、806をワイヤレス通信構造の1つまたは複数の他の部分よりも大きいサブキャリア間隔を有するように構成してもよい。たとえば、UEは、データ部分704、804をサブキャリア間隔が15kHzになり、それによってシンボル持続時間が1/14ミリ秒になるように構成してもよく、共通アップリンク部分706、806を、サブキャリア間隔が30kHzになり、それによってシンボル持続時間が1/28ミリ秒になるように構成してもよい。このようにして、UEは、第2のシンボル920を使用して送信すべきアップリンクペイロードデータ用に追加の処理時間(たとえば、第1のシンボル910の1/28ミリ秒)を確保する。このようにして、本方法では、共通アップリンク部分706、806をサブキャリア間隔が15kHzではなく30kHzになるように構成することによって、共通アップリンク部分706、806の期間(たとえば、1/14ms)に対して1つのシンボルではなく2つのシンボルを定義してもよい。
【００８６】
上記のように、図9は単に例として示されている。他の例が可能であり、図9に関して説明したことと異なってもよい。
【００８７】
図10は、本開示の様々な態様による、共通アップリンクバーストのための技法の一例1000を示す図である。
【００８８】
図10に示すように、いくつかの態様では、UE(たとえば、UE120)は、(たとえば、5GではDFT-s-OFDMと呼ばれることもある)SC-FDMを使用して1つまたは複数の基準信号1030およびアップリンクペイロード1040を送信するように共通アップリンク部分706、806を構成してもよい。たとえば、UEは、SC-FDMを使用して1つまたは複数の基準信号1030およびアップリンクペイロード1040を共通アップリンク部分706、806の第1のシンボル1010および第2のシンボル1020にマップしてもよい。図10に示す例では、1つまたは複数の基準信号1030の全体が第1のシンボル1010にマップされ、アップリンクペイロード1040の全体が第2のシンボル1020にマップされる。
【００８９】
たとえば、1つまたは複数の基準信号はDMRSを含んでもよく、アップリンクペイロードは即時確認応答指示(たとえば、即時ACKまたは即時NACK)を含んでもよい。この場合、図10に示すように、UEは、SC-FDMを使用してDMRSの全体を第1のシンボル1010にマップしてもよく、即時確認応答指示の全体を第2のシンボル1020にマップしてもよい。
【００９０】
UEは、SC-FDMをシンボルマッピングに使用することによって、(たとえば、5Gでは、OFDMと対照して、CP-OFDMと呼ばれることもある)SC-FDMの比較的低いピーク対平均電力比(PAPR)に関連する性能利益を得る場合がある。UEは、DMRSオーバーヘッドまたは他の基準信号オーバーヘッドを低く抑えるために、アップリンクペイロード1040のビットの数がしきい値以下であるとき(たとえば、1ビットに等しいとき、2ビットに等しいとき、3ビットに等しいとき、2ビット以下であるとき、3ビット以下であるとき、4ビット未満であるときなど)にはSC-FDMの使用を構成してもよい。したがって、いくつかの態様では、UEは、アップリンクペイロード1040に含まれるビット数を判定してもよく、ビット数がしきい値を満たさないこと(たとえば、しきい値未満であること、しきい値以下であることなど)の判定に少なくとも部分的に基づいてSC-FDMをシンボルマッピングに使用するように構成してもよい。
【００９１】
UEは、参照符号1050によって示されるように、アップリンクペイロード1040に含まれるビットの数に少なくとも部分的に基づいてSC-FDMまたはOFDMをシンボルマッピングに使用するように選択的に構成してもよい。たとえば、ビットの数がしきい値を満たさないとき、UEは、図10および図11に示すようにSC-FDMを構成してもよい。ビットの数がしきい値を満たすとき(たとえば、しきい値よりも大きいとき、しきい値以上であるときなど)、UEは、図12および図13に関して以下でより詳細に説明するようにOFDMを構成してもよい。このようにして、UEは、PAPRおよび基準信号オーバーヘッドなどの競合する性能要件のバランスをとってもよい。
【００９２】
上記のように、図10は単に例として示されている。他の例が可能であり、図10に関して説明したことと異なってもよい。
【００９３】
図11は、本開示の様々な態様による、共通アップリンクバーストのための技法の一例1100を示す図である。
【００９４】
図11に示すように、UE(たとえば、UE120)は、SC-FDMを使用して1つまたは複数の基準信号1130およびアップリンクペイロードを送信する際、1つまたは複数の基準信号1130およびアップリンクペイロードの第1の部分1140を第1のシンボル1110にマップしてもよく、アップリンクペイロードの第2の部分1150を第2のシンボル1120にマップしてもよい。いくつかの態様では、図示のように、UEは、サブキャリア(たとえば、場合によってはトーン、周波数、および/または周波数帯域と呼ばれる)を交互に使用して1つまたは複数の基準信号1130およびアップリンクペイロードの第1の部分1140を送信してもよい。
【００９５】
いくつかの態様では、UEは、アップリンクペイロードのビット数としきい値との比較に少なくとも部分的に基づいてこの構成を使用してもよい。たとえば、各シンボルが2ビットのデータを表す場合、UEは、アップリンクペイロードのビット数が3に等しいときにこの構成を使用してもよい。この場合、基準信号のうちの1ビットおよびアップリンクペイロードのうちの1ビットが第1のシンボル1110にマップされてもよく、アップリンクペイロードの残りの2ビットが第2のシンボル1120にマップされてもよい。UEは、基準信号およびアップリンクペイロードを第1のシンボル1110にマップし、さらにSC-FDMの単一キャリア波形を維持するために、基準信号の値および/またはアップリンクペイロードの第1の部分1140の値に少なくとも部分的に基づいてシーケンスを生成してもよく、このシーケンスを第1のシンボル1110において送信してもよい。
【００９６】
いくつかの態様では、UEは、アップリンクペイロードのビット数が第1のしきい値を満たさないとき(たとえば、2ビット以下であるとき)には図10に示すSC-FDM構成を使用してもよく、アップリンクペイロードのビット数が第1のしきい値を満たす(たとえば、2ビットよりも多い)が、第2のしきい値を満たさない(たとえば、3ビット以下である)ときには図11に示すSC-FDM構成を使用してもよい。このようにして、UEは、(たとえば、アップリンクペイロードのビット数が2以下であるときにペイロードの第1の部分を使用してシーケンスの計算を回避することによる)処理リソースの節約と(アップリンクペイロードが3ビットであるときにDMRS送信に2ビットではなく1ビットを使用することによる)DMRSオーバーヘッドの低減とのバランスを取るための効率的な(たとえば、最も効率的な)SC-FDM構成を選択してもよい。追加または代替として、UEは、複数のUEの符号分割多重化をサポートしてもよい。
【００９７】
上記のように、図11は単に例として示されている。他の例が可能であり、図11に関して説明したことと異なってもよい。
【００９８】
図12は、本開示の様々な態様による、共通アップリンクバーストのための技法の一例1200を示す図である。
【００９９】
図12に示すように、いくつかの態様では、UE(たとえば、UE120)は、(たとえば、5GではCP-OFDMと呼ばれることもある)OFDMを使用して1つまたは複数の基準信号およびアップリンクペイロードを送信するように共通アップリンク部分706、806を構成してもよい。たとえば、UEは、OFDMを使用して1つまたは複数の基準信号1230およびアップリンクペイロードの第1の部分1240を第1のシンボル1210にマップしてもよく、アップリンクペイロードの第2の部分1250を第2のシンボル1220にマップしてもよい。いくつかの態様では、図示のように、UEは、1つおきのサブキャリア(たとえば、場合によってはトーン、周波数、および/または周波数帯域と呼ばれる)を使用して1つまたは複数の基準信号1230およびアップリンクペイロードの第1の部分1240を送信してもよい。追加または代替として、UEは、図示のように、同じ周波数帯域を使用して第1のシンボル1210および第2のシンボル1220を送信してもよい。
【０１００】
参照符号1260によって示されるように、UEは、アップリンクペイロード(たとえば、アップリンクペイロードの第1の部分1240および第2の部分1250)に含まれるビットの数に少なくとも部分的に基づいてSC-FDMまたはOFDMをシンボルマッピングに使用するように選択的に構成してもよい。たとえば、ビットの数がしきい値を満たすとき(たとえば、しきい値よりも大きいとき、しきい値以上であるときなど)、UEは、図12および図13に示すようにOFDMを構成してもよい。ビットの数がしきい値を満たさないとき(たとえば、しきい値未満であるとき、しきい値以下であるときなど)、UEは、図10および図11に関して上記で説明したようにSC-FDMを構成してもよい。このようにして、UEは、PAPRおよび基準信号オーバーヘッドなどの競合する性能要件のバランスをとってもよい。
【０１０１】
図12は、1つまたは複数の基準信号1230、および第1のシンボル1210にマップされたアップリンクペイロードの第1の部分1240、ならびに第2のシンボル1220にマップされたアップリンクペイロードの第2の部分1250を示すが、いくつかの態様では、UEは、アップリンクペイロードの第1の部分1240を第1のシンボル1210にマップしてもよく、1つまたは複数の基準信号1230およびアップリンクペイロードの第2の部分1250を第2のシンボル1220にマップしてもよい。言い換えれば、いくつかの態様では、図12において第1のシンボル1210にマップされるように示されているものが、第2のシンボル1220にマップされてもよく、図12において第2のシンボル1220にマップされるように示されているものが、第1のシンボル1210にマップされてもよい。追加または代替として、1つまたは複数の基準信号の第1の部分およびアップリンクペイロードの第1の部分が第1のシンボル1210にマップされてもよく、1つまたは複数の基準信号の第2の部分およびアップリンクペイロードの第2の部分が第2のシンボル1220にマップされてもよい。
【０１０２】
UEは、OFDMを使用して1つまたは複数の基準信号1230およびアップリンクペイロードを送信することによって、DMRSオーバーヘッドを低減させてもよく、SC-FDMを使用する場合と比較してより多いビット数のアップリンクペイロードを送信することが可能であってもよい。さらに、UEは、同じ周波数帯域を使用して第1のシンボル1210および第2のシンボル1220を送信することによって、DMRSを2回送信する(2つの異なる周波数帯域の各々について1回)必要がなくなるのでDMRSオーバーヘッドをさらに低減させる場合がある。
【０１０３】
上記のように、図12は単に例として示されている。他の例が可能であり、図12に関して説明したことと異なってもよい。
【０１０４】
図13は、本開示の様々な態様による、共通アップリンクバーストのための技法の一例1300を示す図である。
【０１０５】
図13に示すように、UE(たとえば、UE120)は、OFDMを使用して1つまたは複数の基準信号およびアップリンクペイロードを送信する際、1つまたは複数の基準信号の第1の部分1330およびアップリンクペイロードの第1の部分1340を第1のシンボル1310にマップしてもよく、1つまたは複数の基準信号の第2の部分1350およびアップリンクペイロードの第2の部分1360を第2のシンボル1320にマップしてもよい。いくつかの態様では、UEは、図示のように、それぞれに異なるサブキャリアまたは周波数帯域を使用して第1のシンボル1310および第2のシンボル1320を送信してもよい。いくつかの態様では、UEは、同じサブキャリアまたは周波数帯域を使用して第1のシンボル1310および第2のシンボル1320を送信してもよい。
【０１０６】
UEは、OFDMを使用して1つまたは複数の基準信号およびアップリンクペイロードを送信することによって、DMRSオーバーヘッドを低減させてもよく、SC-FDMを使用する場合と比較してより多いビット数のアップリンクペイロードを送信することが可能であってもよい。さらに、UEは、それぞれに異なる周波数帯域を使用して第1のシンボル1310および第2のシンボル1320を送信することによって、周波数ダイバーシティを増大させ、それによって、周波数のうちの1つが不良なネットワーク条件(たとえば、干渉、輻輳など)を伴う場合に第1のシンボル1310および/または第2のシンボル1320の少なくとも1つが正常に受信される可能性を高めてもよい。
【０１０７】
いくつかの態様では、UEが、(たとえば、図12または図13に示すように)OFDMを使用するかまたはSC-FDMを使用し、(たとえば、図11に示すように)アップリンクペイロードの少なくとも一部が第1のシンボルを使用して送信されるように構成されるとき、アップリンクペイロードの一部は第1のシンボルを使用して送信されてもよい。たとえば、アップリンクペイロードが3ビットよりも大きいとき、アップリンクペイロードの2分の1またはほぼ2分の1など(たとえば、4ビットのうちの2ビット、5ビットのうちの2ビットなど)の、アップリンクペイロードの一部が、第1のシンボルを使用して送信されてもよい。この場合、UEは、第1のシンボルを使用して符号ブロックの第1のセットに関する1つまたは複数の確認応答指示を送信してもよく、第2のシンボルを使用して符号ブロックの第2のセットに関する1つまたは複数の確認応答指示を送信してもよい。UEは、符号ブロックの第2のセットをデータ部分704において受信する前に符号ブロックの第1のセットをデータ部分704において受信してもよい。追加または代替として、UEは、符号ブロックの第2のセットを復号する前に符号ブロックの第1のセットを復号してもよい。このようにして、UEは、(たとえば、符号ブロックの第1のセットが符号ブロックの第2のセットよりも前に受信されるので)1つまたは複数の第1の確認応答指示を第1のシンボルを使用して送信できるように処理するのに十分な時間を有する場合があり、また、(たとえば、UEが第2のシンボルを待つことによって確保される処理時間を使用して、符号ブロックの第2のセットに関する第2の確認応答指示を送信することがあるので)1つまたは複数の第2の確認応答指示を第2のシンボルを使用して送信できるように処理するのに十分な時間を有する場合がある。
【０１０８】
いくつかの態様では、1つまたは複数の第1の確認応答指示は、符号ブロックの第1のセットに肯定応答または否定応答するビットの第1のセットを含んでもよい。同様に、1つまたは複数の第2の確認応答指示は、符号ブロックの第2のセットに肯定応答または否定応答するビットの第2のセットを含んでもよい。いくつかの態様では、UEは、ビットの第1のセットを符号化してもよく、ビットの第2のセットが符号化され第2のシンボルにマップされる前に符号化されたビットの第1のセットを第1のシンボルにマップしてもよい。
【０１０９】
いくつかの態様では、UEは、ビットの第2のセットをビットの第1のセットから独立して符号化してもよく、(たとえば、符号化されたビットの第1のセットが第1のシンボルにマップされた後に)独立して符号化されたビットの第2のセットを第2のシンボルにマップしてもよい。UEは、ビットの第2のセットを第2のシンボルにマップされて第2のシンボル上で送信されるように独立して符号化することによって、場合によっては、ビットの第1のセットと第2のセットをジョイント符号化する(たとえば、ビットの第2のセットが復号できるようになるまでビットの第1のセットをメモリに記憶すること、ビットの第1のセットを2回処理することなど)のに必要になるUEの処理リソースおよびメモリリソースを節約する。同様に、UEは、場合によっては復号(たとえば、ビットの第1のセットを2回処理および/または復号すること、重複したビットを記憶することなど)に必要となるビット用の宛先(たとえば、基地局、別のUEなど)の処理リソースおよびメモリリソースを節約する。
【０１１０】
いくつかの態様では、UEは、ビットの第1のセットとビットの第2のセットをジョイント符号化してもよく、(たとえば、符号化されたビットの第1のセットが第1のシンボルにマップされた後に)ジョイント符号化されたビットの第1のセットと第2のセットを第2のシンボルにマップしてもよい。宛先デバイスは、ビットの第1のセットと第2のセットを第2のシンボルにマップされて第2のシンボル上で送信されるようにジョイント符号化することによって、第1のシンボルを使用して送信された符号化されたビットの第1のセットが受信されないか、またはエラーで受信された場合でもビットの第1のセットと第2のセットの両方を復号できる場合がある。
【０１１１】
いくつかの態様では、UEは、上述のようにアップリンクペイロードに含まれる即時確認応答通知に対応するビットのそれぞれに異なるセットを独立して符号化するかまたはジョイント符号化してもよい。追加または代替として、UEは、アップリンクペイロードが即時確認応答指示を含まないことを判定してもよく、アップリンクペイロードが即時確認応答指示を含まないと判定したことに少なくとも部分的に基づいてアップリンクペイロードに含まれるビットをジョイント符号化してもよい。いくつかの態様では、UEは、ジョイント符号化されたビットを第1のシンボルおよび第2のシンボルにマップしてもよい。UEは、即時確認応答以外のアップリンクペイロードについて、このアップリンクペイロードがデータ部分704において受信されるダウンリンクデータに依存せず、したがって、データ部分704において受信されるダウンリンクデータとは無関係に第1のシンボルを使用する送信に利用可能であるので、このジョイント符号化およびマッピングを第1のシンボルと第2のシンボルの両方に対して実行してもよい。UEは、アップリンクペイロードをジョイント符号化し、ジョイント符号化されたアップリンクペイロードを両方のシンボルにマップすることによって、アップリンクペイロードが正常に受信および/または復号される可能性を高めてもよい。
【０１１２】
上記のように、図13は単に例として示されている。他の例が可能であり、図13に関して説明したことと異なってもよい。
【０１１３】
図14は、本開示の様々な態様による、共通アップリンクバーストのための技法の一例1400を示す図である。
【０１１４】
図14に示すように、いくつかの態様では、1つまたは複数の基準信号は、SRS1430とDMRS1440とを含んでもよい。UE(たとえば、UE120)は、1つおきのサブキャリアを使用して(たとえば、偶数または奇数のサブキャリアまたはトーン)SRS1430をマップおよび/または送信してもよい。いくつかの態様では、UEは、図示のようにSRS1430を第1のシンボル1410にマップしてもよい。追加または代替として、UEは、SRS1430を第2のシンボル1420にマップしてもよい。いくつかの態様では、UEは、SRS1430の広帯域送信または狭帯域送信用に構成されてもよい。
【０１１５】
いくつかの態様では、UEは、シンボルの間に、他の情報を送信せずに、SRS1430のみを送信するように構成されてもよい。この場合、UEは、SC-FDMを使用してSRS1430を(たとえば、1つおきのサブキャリアにおいて)送信してもよい。追加または代替として、同じシンボルの間に異なるUEがSC-FDMまたはOFDMを使用して情報(たとえば、アップリンクペイロードなど)を送信してもよい。この場合、第1のUEが、第1の1つおきのサブキャリア(たとえば、偶数または奇数のトーン)を使用してSRS1430を送信してもよく、第2のUEが、第2の1つおきのサブキャリア(たとえば、第1のUEが偶数のトーンを使用する場合には奇数のトーンであり、第1のUEが奇数のトーンを使用する場合には偶数のトーン)を使用して情報(たとえば、アップリンクペイロード)を送信してもよい。
【０１１６】
いくつかの態様では、UEは、OFDMを使用してSRS1430およびDMRS1440を第1のシンボル1410にマップしてもよく、OFDMを使用してアップリンクペイロード1450を第2のシンボル1420にマップしてもよい。いくつかの態様では、SRS1430は、UE(たとえば、DMRS1440および/またはアップリンクペイロード1450を送信するUEと同じUE)によって送信されるSRSであってもよい。いくつかの態様では、SRS1430は、別のUE(たとえば、DMRS1440および/またはアップリンクペイロード1450を送信するUEとは異なるUE)によって送信されるSRSであってもよい。この場合、SRS1430をマップすることは、SRS1430が送信される予定であるシンボルの1つまたは複数のサブキャリアを、それらのサブキャリア上で通信情報を送信しないように予約および/または空白化することを指す場合がある。いくつかの態様では、UEは、UEに割り振られた帯域幅に関する第1のシンボル1410の間にSRSが送信される予定であることの指示を(たとえば、基地局から)受信してもよい。このようにして、SRS干渉が低減されることがある。
【０１１７】
いくつかの態様では、UEは、UEに割り振られた帯域幅と同じ帯域幅においてSRS1430を送信するようにいずれかのUE(たとえば、このUEおよび/または別のUE)がスケジュールされているかどうかをこのUEに通知するための(たとえば、1ビット、2ビットなどの)インジケータを基地局から受信してもよい。インジケータが、スケジュールされているSRS1430がないことを示す場合、UEは、UEに割り振られた帯域幅において任意のサブキャリアまたはあらゆるサブキャリアを使用してもよい。インジケータが、別のUE用のSRS1430がスケジュールされていることを示す場合、UEは、SRS1430によって占有されない1つおきのサブキャリアを使用してもよい。いくつかの態様では、インジケータは、SRS1430によってどのサブキャリア(たとえば、偶数または奇数のトーン)が占有されているかを示してもよい。追加または代替として、UEは、UEからのインジケータが、SRS1430によってどのサブキャリアが占有されるかを示していないときには、(たとえば、SRS1430が偶数のトーン上で送信されることを示す)デフォルト指示情報を使用してもよい。SRS1430がUEのSRSである(たとえば、別のUEからのSRSではない)場合、UEは、DMRS1440およびアップリンクペイロード1450を第2のシンボル1420にマップしてもよい。たとえば、UEは、すでに第1のシンボル1410にマップされているDMRS1440およびアップリンクペイロード1450の第1の部分を第2のシンボル1420に移動させてもよく、(たとえば、第2のシンボル1420において送信されるようにすでにスケジュールされている)DMRS1440、アップリンクペイロード1450の第1の部分、およびアップリンクペイロード1450の第2の部分を第2のシンボルにおいて送信してもよい。
【０１１８】
いくつかの態様では、図12および図13に関して上記で説明したのと同様に、UEは、アップリンクペイロード1450に含まれるビットの数がしきい値を満たす(たとえば、2ビットよりも多い)旨の判定に少なくとも部分的に基づいて、OFDMを使用してSRS1430およびDMRS1440を第1のシンボル1410にマップし、アップリンクペイロード1450を第2のシンボル1420にマップすることを決定してもよい。このようにして、UEは、基準信号オーバーヘッドを低減させてもよい。
【０１１９】
同様に、UEは、アップリンクペイロード1450に含まれるビットの数がしきい値を満たさない(たとえば、2ビット以下である)旨の判定に少なくとも部分的に基づいて、SC-FDMを使用してSRS1430およびアップリンクペイロード1450を第1のシンボル1410にマップすることを決定してもよい。いくつかの態様では、UEは、DMRSおよびアップリンクペイロードに関して図10および図11に示すのと同様にSRS1430およびアップリンクペイロード1450をマッピングするようにSC-FDMを構成してもよい。たとえば、UEは、SC-FDMを使用して、SRS1430全体を第1のシンボル1410にマップし、アップリンクペイロード1450全体を第2のシンボル1420にマップしてもよい。別の例として、UEは、SC-FDMを使用して、SRS1430およびアップリンクペイロード1450の第1の部分を第1のシンボル1410にマップしてもよく、アップリンクペイロード1450の第2の部分を第2のシンボル1420にマップしてもよい。このようにして、UEは、PAPRおよび基準信号オーバーヘッドなどの競合する性能要件のバランスをとってもよい。
【０１２０】
上記のように、図14は単に例として示されている。他の例が可能であり、図14に関して説明したことと異なってもよい。
【０１２１】
図15は、本開示の様々な態様による、共通アップリンクバーストのための技法の一例1500を示す図である。
【０１２２】
図15に示すように、UE(たとえば、UE120)は、第1のシンボル1510にSRS1530をマップしてもよく、ならびに/または第2のシンボル1520にSRS1540をマップしてもよい。たとえば、UEは、(たとえば、偶数のサブキャリアにおける)第1のシンボル1510にUEのSRS1530をマップしてもよく、UEに割り振られた帯域幅において異なるUEによって送信されるSRS1540用に(たとえば、奇数のサブキャリアにおける)第2のシンボル1520の1つまたは複数のサブキャリアを予約してもよい。この場合、UEは、SRS1540の指示および/または(たとえば、偶数または奇数のサブキャリアにおいて)SRS1540が送信されるサブキャリアの指示を受信してもよい。
【０１２３】
いくつかの態様では、図示のように、UEは、OFDMを使用してSRS1530およびDMRS1550を第1のシンボル1510にマップしてもよく、OFDMを使用してSRS1540およびアップリンクペイロード1560を第2のシンボル1520にマップしてもよい。さらに図示するように、UEは、SRS1530(たとえば、UEまたは別のUEによって送信されるSRS)を送信するためには使用されていない1つおきのサブキャリアを使用してDMRS1550を送信してもよい。さらに図示するように、UEは、SRS1540(たとえば、UEまたは別のUEによって送信されるSRS)を送信するためには使用されていない1つおきのサブキャリアを使用してアップリンクペイロード1560を送信してもよい。たとえば、UEは、第1の1つおきのサブキャリアを使用してアップリンクペイロード1560を第2のシンボル1520にマップしてもよく、第2のシンボル1520の第2の1つおきのサブキャリアにSRS1540をマップしてもよい。このようにして、UEは、干渉問題を軽減しつつネットワークリソースを効率的に利用する場合がある。
【０１２４】
いくつかの態様では、図12および図13に関して上記で説明したのと同様に、UEは、アップリンクペイロード1550に含まれるビットの数がしきい値を満たす(たとえば、2ビットよりも多い)旨の判定に少なくとも部分的に基づいて、OFDMを使用してSRS1530およびDMRS1550を第1のシンボル1510にマップし、SRS1540およびアップリンクペイロード1560を第2のシンボル1520にマップすることを決定してもよい。このようにして、UEは、基準信号オーバーヘッドを低減させてもよい。
【０１２５】
上記のように、図15は単に例として示されている。他の例が可能であり、図15に関して説明したことと異なってもよい。
【０１２６】
図16は、本開示の様々な態様による、共通アップリンクバーストのための技法の一例1600を示す図である。
【０１２７】
図16に示すように、いくつかの態様では、UE(例えば、UE120)は、SC-FDMを使用してSRS1630を第1のシンボル1610にマップしてもよく、OFDMを使用してDMRS1640およびアップリンクペイロード1650を第2のシンボル1620にマップしてもよい。本明細書の他の箇所に示すように、SRS1630は、UEによって送信されるSRSまたは別のUEによって送信されるSRSに対応してもよい。いくつかの態様では、UEは、SC-FDMを使用してSRS1630を第1のシンボル1610にマップしてもよく、OFDMを使用してDMRS1640およびアップリンクペイロード1650を第2のシンボル1620にマップしてもよい。この種のマッピングは、任意のサイズのアップリンクペイロードに適用されてもよく、またはアップリンクペイロードに含まれるビットの数がしきい値を満たす(たとえば、2ビットよりも大きい)旨の判定に少なくとも部分的に基づいてもよい。このようにして、UEは、基準信号オーバーヘッドを低減させてもよい。さらに、UEは、同じシンボル上でSRS1630が別の信号(たとえば、DMRS1640および/またはアップリンクペイロード1650)と集約されるのを防止することによって、場合によっては、OFDMを使用して同じシンボル上でSRS1630を他の信号と集約し、一方、場合によってはSRS1630および他の信号をそれぞれに異なる送信電力を使用して送信することによって消費される計算リソースを節約してもよい。
【０１２８】
上記のように、図16は単に例として示されている。他の例が可能であり、図16に関して説明したことと異なってもよい。
【０１２９】
図17は、本開示の様々な態様による、たとえばワイヤレス通信デバイスによって実行される例示的なプロセス1700を示す図である。例示的なプロセス1700は、ワイヤレス通信デバイス(たとえば、UE120)が共通アップリンクバーストのための1つまたは複数の技法を実行する例である。
【０１３０】
図17に示すように、いくつかの態様では、プロセス1700は、ワイヤレス通信構造を少なくともデータ部分と共通アップリンク部分とを含むように構成することを含んでもよく、この場合、共通アップリンク部分は、第1のシンボルと第2のシンボルとを含み、第1のシンボルが第2のシンボルに先行する(ブロック1710)。たとえば、ワイヤレス通信デバイス(たとえば、UE120)は、ワイヤレス通信構造を少なくともデータ部分と共通アップリンク部分とを含むように構成してもよく、この場合、共通アップリンク部分は、第1のシンボルと第2のシンボルとを含み、第1のシンボルが第2のシンボルに先行する。
【０１３１】
いくつかの態様では、第1のシンボルおよび第2のシンボルは、データ部分に含まれる1つまたは複数のシンボルよりも短いシンボル持続時間を有するように構成される。いくつかの態様では、共通アップリンク部分は、データ部分よりも大きいサブキャリア間隔を有するように構成される。いくつかの態様では、共通アップリンク部分は、共通アップリンクショートバースト部分を含む。
【０１３２】
図17に示すように、いくつかの態様では、プロセス1700は、1つまたは複数の基準信号あるいはアップリンクペイロードの少なくとも一部を第1のシンボルまたは第2のシンボルの少なくとも一方にマップすることを含んでもよい(ブロック1720)。たとえば、ワイヤレス通信デバイス(たとえば、UE120)は、1つまたは複数の基準信号あるいはアップリンクペイロードの少なくとも一部を第1のシンボルまたは第2のシンボルの少なくとも一方にマップしてよい。
【０１３３】
いくつかの態様では、アップリンクペイロードは、データ部分の間に受信されるダウンリンクデータに含まれる通信情報に対する肯定応答指示または否定応答指示(たとえば、ACKまたはNACK)を含む。いくつかの態様では、アップリンクペイロードは、データ部分の間に受信されるダウンリンクデータに含まれる通信情報に基づかない情報を含む。いくつかの態様では、アップリンクペイロードは、PUCCH確認応答指示、PUCCHスケジューリング要求、PUCCHバッファステータス報告、PUCCHチャネル状態指示、PUSCH確認応答指示、またはPUSCHデータのうちの少なくとも1つを含む。
【０１３４】
いくつかの態様では、1つまたは複数の基準信号は、DMRSを含む。いくつかの態様では、1つまたは複数の基準信号は、SRSを含む。いくつかの態様では、1つまたは複数の基準信号は、SRSまたはDMRSの少なくとも一方を含む。たとえば、SRSは、UEによって送信されるSRSまたは別のUEによって送信される別のSRSであってもよい。この場合、SRSをマップすることは、シンボルの1つまたは複数のサブキャリアを、それらのサブキャリア上で通信情報を送信しないように予約することを指す場合がある。
【０１３５】
いくつかの態様では、ワイヤレス通信デバイスは、(たとえば、DFT-s-OFDMと呼ばれることもある)SC-FDMを使用して1つまたは複数の基準信号および/またはアップリンクペイロードのうちの少なくとも1つを送信するように構成される。たとえば、ワイヤレス通信デバイスは、SC-FDMを使用して1つまたは複数の基準信号およびアップリンクペイロードを送信するように構成されてもよい。いくつかの態様では、ワイヤレス通信デバイスは、(たとえば、CP-OFDMと呼ばれることもある)OFDMを使用して1つまたは複数の基準信号および/またはアップリンクペイロードのうちの少なくとも1つを送信するように構成される。いくつかの態様では(たとえば、SC-FDMを使用する際)、1つまたは複数の基準信号の全体が第1のシンボルにマップされ、アップリンクペイロードの全体が第2のシンボルにマップされる。いくつかの態様では、1つまたは複数の基準信号はDMRSであり、アップリンクペイロードは、ワイヤレス通信構造のデータ部分において受信されるダウンリンク通信情報に対する肯定応答指示または否定応答指示(たとえば、即時確認応答指示)を含む。
【０１３６】
いくつかの態様では、ワイヤレス通信デバイスは、アップリンクペイロードに含まれるビットの数を判定し、アップリンクペイロードに含まれるビットの数に少なくとも部分的に基づいて、SC-FDMまたはOFDMを使用してワイヤレス通信構造の共通アップリンク部分において1つまたは複数の基準信号およびアップリンクペイロードを送信するようにワイヤレス通信デバイスを選択的に構成する。いくつかの態様では、ワイヤレス通信デバイスは、アップリンクペイロードに含まれるビットの数がしきい値を満たさない旨の判定に少なくとも部分的に基づいて、SC-FDMを使用してワイヤレス通信構造の共通アップリンク部分において1つまたは複数の基準信号およびアップリンクペイロードを送信するようにワイヤレス通信デバイスを構成する。いくつかの態様では、ワイヤレス通信デバイスは、アップリンクペイロードに含まれるビットの数がしきい値を満たす旨の判定に少なくとも部分的に基づいて、OFDMを使用してワイヤレス通信構造の共通アップリンク部分において1つまたは複数の基準信号およびアップリンクペイロードを送信するようにワイヤレス通信デバイスを構成する。
【０１３７】
いくつかの態様では、ワイヤレス通信デバイスは、SC-FDMを使用して1つまたは複数の基準信号およびアップリンクペイロードを送信するように構成され、1つまたは複数の基準信号およびアップリンクペイロードの第1の部分は、第1のシンボルにマップされ、アップリンクペイロードの第2の部分は、第2のシンボルにマップされる。いくつかの態様では、アップリンクペイロードの第1の部分の値に対応するシーケンスが、第1のシンボルにおいて送信される。たとえば、第1のシーケンスは、アップリンクペイロードの第1の部分の第1の値に対応してもよく、第2のシーケンスは、アップリンクペイロードの第1の部分の第2の値に対応してもよい。
【０１３８】
いくつかの態様では、ワイヤレス通信デバイスは、OFDMを使用して1つまたは複数の基準信号およびアップリンクペイロードを送信するように構成され、1つまたは複数の基準信号およびアップリンクペイロードの第1の部分は、第1のシンボルにマップされ、アップリンクペイロードの第2の部分は、第2のシンボルにマップされ、第1のシンボルと第2のシンボルは、同じ周波数帯域を使用して送信される。
【０１３９】
いくつかの態様では、ワイヤレス通信デバイスは、OFDMを使用して1つまたは複数の基準信号およびアップリンクペイロードを送信するように構成され、1つまたは複数の基準信号の第1の部分およびアップリンクペイロードの第1の部分は、第1のシンボルにマップされ、1つまたは複数の基準信号の第2の部分およびアップリンクペイロードの第2の部分は、第2のシンボルにマップされる。いくつかの態様では、第1のシンボルと第2のシンボルは、それぞれに異なる周波数帯域を使用して送信される。
【０１４０】
いくつかの態様では、ワイヤレス通信デバイスは、データ部分の間に符号ブロックの第1のセットおよび符号ブロックの第2のセットを受信し、符号ブロックの第2のセットよりも前に符号ブロックの第1のセットを復号するように構成され、アップリンクペイロードは、符号ブロックの第1のセットに肯定応答または否定応答するためのビットの第1のセットと、符号ブロックの第2のセットに肯定応答または否定応答するためのビットの第2のセットとを含み、ビットの第1のセットは、符号化され第1のシンボルにマップされる。いくつかの態様では、ビットの第2のセットは、ビットの第1のセットから独立して符号化され、第2のシンボルにマップされる。いくつかの態様では、ビットの第1のセットとビットの第2のセットは、ジョイント符号化され、第2のシンボルにマップされる。いくつかの態様では、アップリンクペイロードは、同じワイヤレス通信構造のデータ部分の間に受信されるダウンリンクデータのACKもNACKも含まず、アップリンクペイロードは、ジョイント符号化され、第1のシンボルおよび第2のシンボルにマップされる。
【０１４１】
いくつかの態様では、1つまたは複数の基準信号は、SRSまたはDMRSの少なくとも一方を含む。いくつかの態様では、SRSは、1つおきのサブキャリアを使用して送信される。いくつかの態様では、SRSまたは別のワイヤレス通信デバイスの別のSRSを送信するために使用されていない1つおきのサブキャリアを使用して送信される。いくつかの態様では、SRSおよびアップリンクペイロードは第1のシンボルにマップされる。いくつかの態様では、ワイヤレス通信デバイスのSRSまたは別のワイヤレス通信デバイスの別のSRSは、シングルキャリア周波数分割多重化(SC-FDM)を使用して第1のシンボルにマップされ、別のワイヤレス通信デバイスからの別のDMRSおよび/または別のアップリンクペイロードは、SC-FDMまたは直交周波数分割多重化(OFDM)を使用して第1のシンボルにマップされ、SRSまたは他のSRSの送信と他のDMRSおよび/または他のアップリンクペイロードの送信は、異なるサブキャリアを使用する。
【０１４２】
いくつかの態様では、ワイヤレス通信デバイスのDMRSおよびSRSは、OFDMを使用して第1のシンボルにマップされ、アップリンクペイロードは、アップリンクペイロードに含まれるビットの数がしきい値を満たす旨の判定に少なくとも部分的に基づいて、OFDMを使用して第2のシンボルにマップされる。いくつかの態様では、アップリンクペイロードは、ワイヤレス通信デバイスのSRSまたは他のワイヤレス通信デバイスの他のSRSの少なくとも一方が、第2のシンボルの間に第2の1つおきのサブキャリアを使用して送信されるかどうかに少なくとも部分的に基づいて、第1の1つおきのサブキャリアを使用して第2のシンボルにマップされる。
【０１４３】
いくつかの態様では、SRSは、SC-FDMを使用して第1のシンボルにマップされ、DMRSおよびアップリンクペイロードは、OFDMを使用して第2のシンボルにマップされる。いくつかの態様では、SRSおよびアップリンクペイロードは、ワイヤレス通信デバイスによって送信される。いくつかの態様では、SRSは、SC-FDMを使用して第1のシンボルにマップされ、DMRSおよびアップリンクペイロードは、アップリンクペイロードに含まれるビットの数がしきい値を満たす旨の判定に少なくとも部分的に基づいて、OFDMを使用して第2のシンボルにマップされる。
【０１４４】
いくつかの態様では、ワイヤレス通信デバイスは、ワイヤレス通信デバイスに割り振られた帯域幅に対する第1のシンボルまたは第2のシンボルの少なくとも一方の間に1つまたは複数のSRSを送信すべきかどうかの指示を基地局から受信し、ワイヤレス通信デバイスは、この指示を受信したことに少なくとも部分的に基づいて1つまたは複数の基準信号およびアップリンクペイロードをマップする。いくつかの態様では、この指示は、ワイヤレス通信デバイスに割り振られた帯域幅における第1のシンボルまたは第2のシンボルの少なくとも一方の間にサウンディング基準信号を送信すべきではないことを示し、1つまたは複数の基準信号およびアップリンクペイロードは、この指示に少なくとも部分的に基づいてワイヤレス通信デバイスに割り振られた帯域幅におけるあらゆるサブキャリアを使用して第1のシンボルまたは第2のシンボルの少なくとも一方にマップされる。
【０１４５】
図17は、プロセス1700の例示的なブロックを示すが、いくつかの態様では、プロセス1700は、図17に示すブロックと比べて、追加のブロック、より少ないブロック、異なるブロック、または異なるように配置されたブロックを含んでもよい。追加または代替として、プロセス1700のブロックのうちの2つ以上が並列に実行されてもよい。
【０１４６】
図18は、例示的な装置1802内のそれぞれに異なるモジュール/手段/構成要素間のデータフローを示す概念データフロー図1800である。装置1802はUEであってもよい。いくつかの態様では装置1802は、受信モジュール1804、送信モジュール1806、マッピングモジュール1808、送信モジュール1810、および/または判定モジュール1812を含む。
【０１４７】
いくつかの態様では、受信モジュール1804は、ワイヤレス通信構造の構成に関する情報などの、基地局1850からのデータ1814を受信してもよい。受信モジュール1804は、そのような情報をデータ1816として構成モジュール1806に与えてもよい。構成モジュール1806は、ワイヤレス通信構造を少なくともデータ部分と共通アップリンク部分とを含むように構成してもよく、この場合、共通アップリンク部分は、第1のシンボルと第2のシンボルとを含み、第1のシンボルは第2のシンボルに先行する。いくつかの態様では、構成モジュール1806は、構成に関する情報をデータ1818としてマッピングモジュール1808に与えてもよい。マッピングモジュール1808は、1つまたは複数の基準信号あるいはアップリンクペイロードの少なくとも一部を第1のシンボルまたは第2のシンボルの少なくとも一方にマップしてもよい。いくつかの態様では、マッピングモジュール1808は、マップされた情報をデータ1820として送信モジュール1810に与えてもよい。送信モジュール1810は、マップされた情報を適切なシンボルにおいて、データ1822として基地局1850に送信してもよい。
【０１４８】
いくつかの態様では、判定モジュール1812は、アップリンクペイロードに含まれるビットの数を判定してもよく、ビットの数をデータ1824として構成モジュール1806に示してもよい。構成モジュール1806は、アップリンクペイロードに含まれるビットの数に少なくとも部分的に基づいて、共通アップリンク部分において情報を送信できるようにSC-FDMまたはOFDMを選択的に構成してもよい。たとえば、構成モジュール1806は、アップリンクペイロードに含まれるビットの数がしきい値を満たさない旨の判定に少なくとも部分的に基づいて、共通アップリンク部分における情報の送信にSC-FDMを使用するように装置1802を構成してもよい。別の例として、構成モジュール1806は、アップリンクペイロードに含まれるビットの数がしきい値を満たす旨の判定に少なくとも部分的に基づいて、共通アップリンク部分における情報の送信にOFDMを使用するように装置1802を構成してもよい。
【０１４９】
装置は、図17の上記のフローチャートにおけるアルゴリズムのブロックの各々を実行する、追加のモジュールを含んでもよい。したがって、図17の上記のフローチャート内の各ブロックは、モジュールによって実行される場合があり、装置は、それらのモジュールのうちの1つまたは複数を含んでもよい。モジュールは、プロセッサによる実施のためにコンピュータ可読媒体内に記憶された、前述のプロセス/アルゴリズムを実行するように構成されたプロセッサによって実施される、前述のプロセス/アルゴリズムを実行するように特に構成された1つもしくは複数のハードウェア構成要素、またはそれらの何らかの組合せであってもよい。
【０１５０】
図17に示すモジュールの数および配置は例として示されている。実際には、図17に示すモジュールと比べて、追加のモジュール、より少ないモジュール、異なるモジュール、または異なるように配置されたモジュールがあってもよい。さらに、図17に示す2つ以上のモジュールが単一のモジュール内に実装されてもよく、または、図17に示す単一のモジュールが複数の分散したモジュールとして実装されてもよい。追加または代替として、図17に示すモジュールのセット(たとえば、1つまたは複数のモジュール)は、図17に示すモジュールの別のセットによって実行される機能として説明する1つまたは複数の機能を実行してもよい。
【０１５１】
図18は、処理システム1902を利用する装置1802'のハードウェア実装形態の例を示す図1800である。装置1802'はUEであってもよい。
【０１５２】
処理システム1902は、バス1904によって全体的に表されるバスアーキテクチャを用いて実装されてもよい。バス1904は、処理システム1902の具体的な適用例および全体的な設計制約に応じて、任意の数の相互接続バスとブリッジとを含んでもよい。バス1904は、プロセッサ1906、モジュール1804、1806、1808、1810、および/または1812、ならびにコンピュータ可読媒体/メモリ1908によって表される、1つまたは複数のプロセッサおよび/またはハードウェアモジュールを含む種々の回路を互いにリンクする。また、バス1904はまた、タイミングソース、周辺機器、電圧レギュレータ、および電力管理回路などの様々な他の回路をリンクしてもよく、これらの回路は当技術分野でよく知られており、したがって、これらの回路についてはこれ以上説明しない。
【０１５３】
処理システム1902は、トランシーバ1910に結合されてもよい。トランシーバ1910は、1つまたは複数のアンテナ1912に結合されている。トランシーバ1910は、伝送媒体を介して様々な他の装置と通信するための手段を構成する。トランシーバ1910は、1つまたは複数のアンテナ1912から信号を受信し、受信された信号から情報を抽出し、抽出された情報を処理システム1902、詳細には受信モジュール1804に与える。加えて、トランシーバ1910は、処理システム1902、詳細には送信モジュール1810から情報を受信し、受信された情報に少なくとも部分的に基づいて、1つまたは複数のアンテナ1912に印加すべき信号を生成する。処理システム1902は、コンピュータ可読媒体/メモリ1908に結合されたプロセッサ1906を含む。プロセッサ1906は、コンピュータ可読媒体/メモリ1908に記憶されたソフトウェアの実行を含む、一般的な処理を担う。ソフトウェアは、プロセッサ1906によって実行されると、任意の特定の装置について上で説明した様々な機能を処理システム1902に実行させる。コンピュータ可読媒体/メモリ1908はまた、ソフトウェアを実行するときにプロセッサ1906によって操作されるデータを記憶するために使用されてもよい。処理システムは、モジュール1804、1806、1808、1810、および/または1812のうちの少なくとも1つをさらに含む。モジュールは、プロセッサ1906内で実行され、コンピュータ可読媒体/メモリ1908内に存在し/記憶されたソフトウェアモジュールであってもよく、プロセッサ1906に結合された1つまたは複数のハードウェアモジュールであってもよく、あるいはそれらの何らかの組合せでもよい。処理システム1902は、UE120の構成要素である場合があり、メモリ282、ならびに/またはTX MIMOプロセッサ266、RXプロセッサ258、および/もしくはコントローラ/プロセッサ280のうちの少なくとも1つを含む場合がある。
【０１５４】
いくつかの態様では、ワイヤレス通信のための装置1802/1802'は、少なくともデータ部分と共通アップリンク部分とを含み、第1のシンボルが第2のシンボルに先行するようにワイヤレス通信構造を構成するための手段、1つまたは複数の基準信号またはアップリンクペイロードの少なくとも一部を第1のシンボルまたは第2のシンボルの少なくとも一方にマップするための手段、アップリンクペイロードに含まれるビットの数を判定するための手段、アップリンクペイロードに含まれるビットの数に少なくとも部分的に基づいてワイヤレス通信構造の共通アップリンク部分において1つまたは複数の基準信号およびアップリンクペイロードを送信するようにSC-FDMまたはOFDMを構成するための手段などを含む。上記の手段は、上記の手段によって列挙された機能を実行するように構成された装置1802、および/または装置1802'の処理システム1902の上記のモジュールのうちの1つまたは複数であってよい。上記で説明したように、処理システム1902は、TX MIMOプロセッサ266、RXプロセッサ258、および/またはコントローラ/プロセッサ280を含む場合がある。したがって、一構成では、上記の手段は、上記の手段によって列挙された機能を実行するように構成された、TX MIMOプロセッサ266、RXプロセッサ258、および/またはコントローラ/プロセッサ280であってもよい。
【０１５５】
図19は、一例として示されている。他の例が可能であり、図19に関して説明したことと異なる場合がある。
【０１５６】
上記の開示は例示および説明を提供するものであり、網羅的なものでも、または態様を開示された厳密な形態に限定するものでもない。上の開示を考慮して修正および変形が可能であり、各態様を実施することによってこのような修正および変形が実現されることがある。
【０１５７】
本明細書では、構成要素という用語は、ハードウェア、ファームウェア、またはハードウェアとソフトウェアの組合せとして、広く解釈されるものとする。本明細書で使用する「プロセッサ」は、ハードウェア、ファームウェア、またはハードウェアとソフトウェアの組合せとして実装される。
【０１５８】
本明細書では、いくつかの態様についてしきい値に関して説明する。本明細書で使用する「しきい値を満たすこと」は、値が、しきい値よりも大きいこと、しきい値以上であること、しきい値未満であること、しきい値以下であること、しきい値に等しいこと、しきい値に等しくないことなどを指す場合がある。
【０１５９】
本明細書で説明するシステムおよび/または方法は、様々な形態のハードウェア、ファームウェア、またはハードウェアとソフトウェアの組合せで実装されてもよいことが明らかである。これらのシステムおよび/または方法を実装するために使用される実際の専用の制御ハードウェアまたはソフトウェアコードは、態様を限定するものではない。したがって、本明細書では、システムおよび/または方法の動作と挙動について、具体的なソフトウェアコードを参照することなく説明した。ソフトウェアおよびハードウェアが、本明細書の説明に少なくとも部分的に基づいてシステムおよび/または方法を実装するように設計できることを理解されたい。
【０１６０】
特徴の特定の組合せが特許請求の範囲に記載され、かつ/または本明細書で開示されても、これらの組合せは、可能な態様の開示を限定するものではない。実際には、これらの特徴の多くは、特許請求の範囲に特に記載されず、ならびに/または本明細書で特に開示されないように組み合わされてもよい。以下に列挙される各従属請求項は、1つだけの請求項に直接依存することがあるが、可能な態様の開示は、各従属請求項と請求項のセットの中の他のあらゆる請求項との組合せを含む。項目のリスト「のうちの少なくとも1つ」を指す句は、単一のメンバーを含むそれらの項目の任意の組合せを指す。一例として、「a、b、またはcのうちの少なくとも1つ」は、a、b、c、a-b、a-c、b-c、およびa-b-c、ならびに複数の同じ要素を有する任意の組合せ(たとえば、a-a、a-a-a、a-a-b、a-a-c、a-b-b、a-c-c、b-b、b-b-b、b-b-c、c-c、およびc-c-c、またはa、b、およびcの任意の他の順序)を包含するものとする。
【０１６１】
本明細書で使用される要素、行為、または命令はいずれも、そのように明示的に説明されない限り、重要または不可欠であるものと見なされるべきではない。また、本明細書では、冠詞「a」および「an」は、1つまたは複数の項目を含むものとし、「1つまたは複数の」と交換可能に使用されることがある。さらに、本明細書で使用する「セット」および「グループ」という用語は、1つまたは複数の項目(たとえば、関連する項目、関連しない項目、関連する項目と関連しない項目の組合せなど)を含むものとし、「1つまたは複数の」と交換可能に使用されてもよい。1つだけの項目が意図される場合、「1つの」という用語または同様の言葉が使用される。また、本明細書では、「有する(has)」、「有する(have)」、「有する(having)」という用語は、非制限的な用語であるものとする。さらに、「に基づく」という語句は、別段明示的に述べられていない限り、「に少なくとも部分的に基づく」を意味するものとする。
【符号の説明】
【０１６２】
100  ネットワーク
102a  マクロセル
102b  ピコセル
102c  フェムトセル
110a、110b、110c  BS
110d  中継局
120a、120b、120c、120d  UE
130  ネットワークコントローラ
212  データソース
220  送信プロセッサ
230  送信(TX)多入力多出力(MIMO)プロセッサ
232a〜232t  変調器(MOD)、復調器
234a〜234t  アンテナ
236  MIMO検出器
238  受信プロセッサ
239  データシンク
240  コントローラ/プロセッサ
242  メモリ
244  通信ユニット
246  スケジューラ
252a〜252r  アンテナ
254a〜254r  復調器(DEMOD)、変調器
256  MIMO検出器
258  受信プロセッサ、RXプロセッサ
260  データシンク
262  データソース
264  送信プロセッサ
266  TX MIMOプロセッサ
280  コントローラ/プロセッサ
282  メモリ
290  コントローラ/プロセッサ
292  メモリ
294  通信ユニット
300  フレーム構造
410、420  サブフレームフォーマット
500  分散型RAN
502  アクセスノードコントローラ(ANC)
504  次世代コアネットワーク(NG-CN)
506  5Gアクセスノード
508  TRP
510  次世代An(NG-AN)
600  分散型RAN
602  集中型コアネットワークユニット(C-CU)
604  集中型RANユニット(C-RU)
606  分散ユニット
700  図
702  制御部分
704  DLデータ部分
706  共通UL部分
708  第1のシンボル
710  第2のシンボル
800  図
802  制御部分
804  ULデータ部分
806  共通UL部分
808  第1のシンボル
810  第2のシンボル
900  例
910  第1のシンボル
920  第2のシンボル
930  基準信号
940  アップリンクペイロード
1010  第1のシンボル
1020  第2のシンボル
1030  基準信号
1040  アップリンクペイロード
1100  例
1110  第1のシンボル
1120  第2のシンボル
1130  基準信号
1140  第1の部分
1150  第2の部分
1200  例
1210  第1のシンボル
1220  第2のシンボル
1230  基準信号
1240  第1の部分
1250  第2の部分
1300  例
1310  第1のシンボル
1320  第2のシンボル
1330  第1の部分
1340  第1の部分
1350  第2の部分
1360  第2の部分
1400  例
1410  第1のシンボル
1420  第2のシンボル
1430  SRS
1440  DMRS
1450  アップリンクペイロード
1500  例
1510  第1のシンボル
1520  第2のシンボル
1530  SRS
1540  SRS
1550  DMRS
1560  アップリンクペイロード
1600  例
1610  第1のシンボル
1620  第2のシンボル
1630  SRS
1640  DMRS
1650  アップリンクペイロード
1700  プロセス
1800  概念データフロー図、図
1802  装置
1802'  装置
1804  受信モジュール
1806  構成モジュール
1808  マッピングモジュール
1810  送信モジュール
1812  判定モジュール
1814  データ
1816  データ
1818  データ
1820  データ
1822  データ
1824  データ
1850  基地局
1902  処理システム
1904  バス
1906  プロセッサ
1908  コンピュータ可読媒体/メモリ
1910  トランシーバ
1912  アンテナ
【図１】
2019536336.tif 000003
【図２】
2019536336.tif 000004
【図３】
2019536336.tif 000005
【図４】
2019536336.tif 000006
【図５】
2019536336.tif 000007
【図６】
2019536336.tif 000008
【図７】
2019536336.tif 000009
【図８】
2019536336.tif 000010
【図９】
2019536336.tif 000011
【図１０】
2019536336.tif 000012
【図１１】
2019536336.tif 000013
【図１２】
2019536336.tif 000014
【図１３】
2019536336.tif 000015
【図１４】
2019536336.tif 000016
【図１５】
2019536336.tif 000017
【図１６】
2019536336.tif 000018
【図１７】
2019536336.tif 000019
【図１８】
2019536336.tif 000020
【図１９】
2019536336.tif 000021
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ワイヤレス通信デバイスによって、ワイヤレス通信構造を少なくともデータ部分と共通アップリンク部分とを含むように構成するステップであって、前記共通アップリンク部分が、第1のシンボルと第2のシンボルとを含み、前記第1のシンボルが前記第2のシンボルに先行する、ステップと、
前記ワイヤレス通信デバイスによって、1つまたは複数の基準信号あるいはアップリンクペイロードの少なくとも一部を前記第1のシンボルまたは前記第2のシンボルの少なくとも一方にマップするステップであって、前記1つまたは複数の基準信号の第1の部分および前記アップリンクペイロードの第1の部分が前記第1のシンボルにマップされ、前記1つまたは複数の基準信号の第2の部分および前記アップリンクペイロードの第2の部分が前記第2のシンボルにマップされる、ステップと、
前記ワイヤレス通信構造の前記共通アップリンク部分において前記1つまたは複数の基準信号および前記アップリンクペイロードを送信するステップであって、サイクリックプレフィックス直交周波数分割多重化(CP-OFDM)または離散フーリエ変換拡散直交周波数分割多重化(DFT-s-OFDM)を使用するステップを含み、前記第1のシンボルと前記第2のシンボルが、それぞれに異なる周波数帯域を使用して送信される、ステップとを含む方法。
【請求項２】
前記第1のシンボルおよび前記第2のシンボルは、前記データ部分に含まれる1つまたは複数のシンボルよりも短いシンボル持続時間を有するように構成される、請求項1に記載の方法。
【請求項３】
前記共通アップリンク部分は、前記データ部分よりも大きいサブキャリア間隔を有するように構成される、請求項1に記載の方法。
【請求項４】
前記アップリンクペイロードは、前記データ部分の間に受信されるダウンリンクデータに含まれる通信情報に対する肯定応答指示または否定応答指示を含む、請求項1に記載の方法。
【請求項５】
前記アップリンクペイロードは、前記データ部分の間に受信されるダウンリンクデータに含まれる通信情報に基づかない情報を含む、請求項1に記載の方法。
【請求項６】
前記アップリンクペイロードは、物理アップリンク制御チャネル(PUCCH)確認応答指示、PUCCHスケジューリング要求、PUCCHバッファステータス報告、PUCCHチャネル状態指示、物理アップリンク共有チャネル(PUSCH)確認応答指示、またはPUSCHデータのうちの少なくとも1つを含む、請求項1に記載の方法。
【請求項７】
前記1つまたは複数の基準信号は、復調基準信号(DMRS)を含む、請求項1に記載の方法。
【請求項８】
前記1つまたは複数の基準信号は、サウンディング基準信号(SRS)を含む、請求項1に記載の方法。
【請求項９】
前記1つまたは複数の基準信号は、復調基準信号(DMRS)を含み、
前記アップリンクペイロードは、前記ワイヤレス通信構造の前記データ部分において受信されるダウンリンク通信に対する肯定応答指示または否定応答指示を含む、請求項1に記載の方法。
【請求項１０】
前記アップリンクペイロードは、物理アップリンク制御チャネル(PUCCH)確認応答指示、PUCCHスケジューリング要求、PUCCHバッファステータス報告、PUCCHチャネル状態指示、物理アップリンク共有チャネル(PUSCH)確認応答指示、またはPUSCHデータのうちの少なくとも1つを含む、請求項1に記載の方法。
【請求項１１】
前記アップリンクペイロードの前記第1の部分の値に対応するシーケンスは、前記第1のシンボルにおいて送信される、請求項1に記載の方法。
【請求項１２】
前記ワイヤレス通信デバイスは、前記データ部分の間に符号ブロックの第1のセットおよび符号ブロックの第2のセットを受信し、前記符号ブロックの前記第2のセットよりも前に前記符号ブロックの前記第1のセットを復号するように構成され、
前記アップリンクペイロードは、前記符号ブロックの前記第1のセットに肯定応答または否定応答するためのビットの第1のセットと、前記符号ブロックの前記第2のセットに肯定応答または否定応答するためのビットの第2のセットとを含む、請求項1に記載の方法。
【請求項１３】
前記ビットの前記第2のセットは、前記ビットの前記第1のセットから独立して符号化される、請求項12に記載の方法。
【請求項１４】
前記ビットの前記第1のセットと前記ビットの前記第2のセットは、ジョイント符号化される、請求項12に記載の方法。
【請求項１５】
前記アップリンクペイロードは、同じワイヤレス通信構造の前記データ部分の間に受信されるダウンリンクデータの肯定応答(ACK)も否定応答(NACK)も含まず、
前記アップリンクペイロードはジョイント符号化される、請求項1に記載の方法。
【請求項１６】
前記共通アップリンク部分は、共通アップリンクショートバースト部分を含む、請求項1に記載の方法。
【請求項１７】
前記データ部分の間に符号ブロックの第1のセットおよび符号ブロックの第2のセットを受信するステップと、
前記符号ブロックの前記第2のセットよりも前に前記符号ブロックの前記第1のセットを復号するステップとをさらに含む、請求項1に記載の方法。
【請求項１８】
前記1つまたは複数の基準信号と前記アップリンクペイロードは、それぞれに異なるサブキャリアを使用して送信される、請求項1に記載の方法。
【請求項１９】
前記それぞれに異なるサブキャリアは、前記1つまたは複数の基準信号の1つまたは複数のサブキャリアと前記アップリンクペイロードの1つまたは複数のサブキャリアとが交互に並ぶサブキャリアのパターンを含む、請求項18に記載の方法。
【請求項２０】
ワイヤレス通信デバイスであって、
メモリと、
前記メモリに動作可能に結合された1つまたは複数のプロセッサとを備え、前記1つまたは複数のプロセッサが、
ワイヤレス通信構造を少なくともデータ部分と共通アップリンク部分とを含むように構成することであって、前記共通アップリンク部分が、第1のシンボルと第2のシンボルとを含み、前記第1のシンボルが前記第2のシンボルに先行する、構成することと、
1つまたは複数の基準信号あるいはアップリンクペイロードの少なくとも一部を前記第1のシンボルまたは前記第2のシンボルの少なくとも一方にマップすることであって、前記1つまたは複数の基準信号の第1の部分および前記アップリンクペイロードの第1の部分が前記第1のシンボルにマップされ、前記1つまたは複数の基準信号の第2の部分および前記アップリンクペイロードの第2の部分が前記第2のシンボルにマップされる、マップすることと、
前記ワイヤレス通信構造の前記共通アップリンク部分において前記1つまたは複数の基準信号および前記アップリンクペイロードを送信することであって、離散フーリエ変換拡散直交周波数分割多重化(DFT-s-OFDM)を使用することを含み、前記第1のシンボルと前記第2のシンボルが、それぞれに異なる周波数帯域を使用して送信される、送信することとを行うように構成されるワイヤレス通信デバイス。
【請求項２１】
前記第1のシンボルおよび前記第2のシンボルは、前記データ部分に含まれる1つまたは複数のシンボルよりも短いシンボル持続時間を有するように構成される、請求項20に記載のワイヤレス通信デバイス。
【請求項２２】
前記共通アップリンク部分は、前記データ部分よりも大きいサブキャリア間隔を有するように構成される、請求項20に記載のワイヤレス通信デバイス。
【請求項２３】
前記アップリンクペイロードは、前記データ部分の間に受信されるダウンリンクデータに含まれる通信情報に対する肯定応答指示または否定応答指示を含む、請求項20に記載のワイヤレス通信デバイス。
【請求項２４】
前記アップリンクペイロードは、前記データ部分の間に受信されるダウンリンクデータに含まれる通信情報に基づかない情報を含む、請求項20に記載のワイヤレス通信デバイス。
【請求項２５】
前記アップリンクペイロードは、物理アップリンク制御チャネル(PUCCH)確認応答指示、PUCCHスケジューリング要求、PUCCHバッファステータス報告、PUCCHチャネル状態指示、物理アップリンク共有チャネル(PUSCH)確認応答指示、またはPUSCHデータのうちの少なくとも1つを含む、請求項20に記載のワイヤレス通信デバイス。
【請求項２６】
前記1つまたは複数の基準信号は、復調基準信号(DMRS)を含む、請求項20に記載のワイヤレス通信デバイス。
【請求項２７】
前記1つまたは複数の基準信号は、サウンディング基準信号(SRS)を含む、請求項20に記載のワイヤレス通信デバイス。
【請求項２８】
前記1つまたは複数の基準信号は、復調基準信号(DMRS)を含み、
前記アップリンクペイロードは、前記ワイヤレス通信構造の前記データ部分において受信されるダウンリンク通信に対する肯定応答指示または否定応答指示を含む、請求項20に記載のワイヤレス通信デバイス。
【請求項２９】
前記アップリンクペイロードは、物理アップリンク制御チャネル(PUCCH)確認応答指示、PUCCHスケジューリング要求、PUCCHバッファステータス報告、PUCCHチャネル状態指示、物理アップリンク共有チャネル(PUSCH)確認応答指示、またはPUSCHデータのうちの少なくとも1つを含む、請求項20に記載のワイヤレス通信デバイス。
【請求項３０】
前記アップリンクペイロードの前記第1の部分の値に対応するシーケンスは、前記第1のシンボルにおいて送信される、請求項20に記載のワイヤレス通信デバイス。
【請求項３１】
前記ワイヤレス通信デバイスは、前記データ部分の間に符号ブロックの第1のセットおよび符号ブロックの第2のセットを受信し、前記符号ブロックの前記第2のセットよりも前に前記符号ブロックの前記第1のセットを復号するように構成され、
前記アップリンクペイロードは、前記符号ブロックの前記第1のセットに肯定応答または否定応答するためのビットの第1のセットと、前記符号ブロックの前記第2のセットに肯定応答または否定応答するためのビットの第2のセットとを含む、請求項20に記載のワイヤレス通信デバイス。
【請求項３２】
前記ビットの前記第2のセットは、前記ビットの前記第1のセットから独立して符号化される、請求項31に記載のワイヤレス通信デバイス。
【請求項３３】
前記ビットの前記第1のセットと前記ビットの前記第2のセットは、ジョイント符号化される、請求項31に記載のワイヤレス通信デバイス。
【請求項３４】
前記アップリンクペイロードは、同じワイヤレス通信構造の前記データ部分の間に受信されるダウンリンクデータの肯定応答(ACK)も否定応答(NACK)も含まず、
前記アップリンクペイロードは、ジョイント符号化され、前記第1のシンボルおよび前記第2のシンボルにマップされる、請求項20に記載のワイヤレス通信デバイス。
【請求項３５】
前記共通アップリンク部分は、共通アップリンクショートバースト部分を含む、請求項20に記載のワイヤレス通信デバイス。
【請求項３６】
前記1つまたは複数のプロセッサは、
前記データ部分の間に符号ブロックの第1のセットおよび符号ブロックの第2のセットを受信することと、
前記符号ブロックの前記第2のセットよりも前に前記符号ブロックの前記第1のセットを復号することとを行うようにさらに構成される、請求項20に記載のワイヤレス通信デバイス。
【請求項３７】
前記第1のシンボルと前記第2のシンボルは、同じサブキャリアを使用して送信される、請求項20に記載のワイヤレス通信デバイス。
【請求項３８】
前記1つまたは複数の基準信号と前記アップリンクペイロードは、それぞれに異なるサブキャリアを使用して送信される、請求項20に記載のワイヤレス通信デバイス。
【請求項３９】
前記それぞれに異なるサブキャリアは、前記1つまたは複数の基準信号の1つまたは複数のサブキャリアと前記アップリンクペイロードの1つまたは複数のサブキャリアとが交互に並ぶサブキャリアのパターンを含む、請求項38に記載のワイヤレス通信デバイス。
【請求項４０】
ワイヤレス通信用の1つまたは複数の命令を記憶する非一時的コンピュータ可読記憶媒体であって、前記1つまたは複数の命令が、
ワイヤレス通信デバイスの1つまたは複数のプロセッサによって実行されたときに、前記1つまたは複数のプロセッサに、
ワイヤレス通信構造を少なくともデータ部分と共通アップリンク部分とを含むように構成することであって、前記共通アップリンク部分が、第1のシンボルと第2のシンボルとを含み、前記第1のシンボルが前記第2のシンボルに先行する、構成することと、
1つまたは複数の基準信号あるいはアップリンクペイロードの少なくとも一部を前記第1のシンボルまたは前記第2のシンボルの少なくとも一方にマップすることであって、前記1つまたは複数の基準信号の第1の部分および前記アップリンクペイロードの第1の部分が前記第1のシンボルにマップされ、前記1つまたは複数の基準信号の第2の部分および前記アップリンクペイロードの第2の部分が前記第2のシンボルにマップされる、マップすることと、
前記ワイヤレス通信構造の前記共通アップリンク部分において前記1つまたは複数の基準信号および前記アップリンクペイロードを送信することであって、サイクリックプレフィックス直交周波数分割多重化(CP-OFDM)または離散フーリエ変換拡散直交周波数分割多重化(DFT-s-OFDM)を使用することを含み、前記第1のシンボルと前記第2のシンボルが、それぞれに異なる周波数帯域を使用して送信される、送信することとを行わせる1つまたは複数の命令を含む非一時的コンピュータ可読記憶媒体。
【請求項４１】
前記第1のシンボルおよび前記第2のシンボルは、前記データ部分に含まれる1つまたは複数のシンボルよりも短いシンボル持続時間を有するように構成される、請求項40に記載の非一時的コンピュータ可読記憶媒体。
【請求項４２】
前記アップリンクペイロードは、
前記データ部分の間に受信されるダウンリンクデータに含まれる通信情報に対する肯定応答指示または否定応答指示と、前記データ部分の間に受信されるダウンリンクデータに含まれる通信情報に基づかない情報と、物理アップリンク制御チャネル(PUCCH)確認応答指示、PUCCHスケジューリング要求、PUCCHバッファステータス報告、PUCCHチャネル状態指示、物理アップリンク共有チャネル(PUSCH)確認応答指示、またはPUSCHデータのうちの少なくとも1つとを含む、請求項40に記載の非一時的コンピュータ可読記憶媒体。
【請求項４３】
前記1つまたは複数の基準信号は、
復調基準信号(DMRS)とサウンディング基準信号(SRS)とを含む、請求項40に記載の非一時的コンピュータ可読記憶媒体。
【請求項４４】
前記1つまたは複数の基準信号は、復調基準信号(DMRS)を含み、
前記アップリンクペイロードは、前記ワイヤレス通信構造の前記データ部分において受信されるダウンリンク通信に対する肯定応答指示または否定応答指示を含む、請求項40に記載の非一時的コンピュータ可読記憶媒体。
【請求項４５】
前記ワイヤレス通信デバイスは、前記データ部分の間に符号ブロックの第1のセットおよび符号ブロックの第2のセットを受信し、前記符号ブロックの前記第2のセットよりも前に前記符号ブロックの前記第1のセットを復号するように構成され、
前記アップリンクペイロードは、前記符号ブロックの前記第1のセットに肯定応答または否定応答するためのビットの第1のセットと、前記符号ブロックの前記第2のセットに肯定応答または否定応答するためのビットの第2のセットとを含む、請求項40に記載の非一時的コンピュータ可読記憶媒体。
【請求項４６】
前記共通アップリンク部分は、前記データ部分よりも大きいサブキャリア間隔を有するように構成される、請求項40に記載の非一時的コンピュータ可読記憶媒体。
【請求項４７】
前記1つまたは複数の基準信号と前記アップリンクペイロードは、それぞれに異なるサブキャリアを使用して送信される、請求項40に記載の非一時的コンピュータ可読記憶媒体。
【請求項４８】
前記アップリンクペイロードは、前記データ部分の間に受信されるダウンリンクデータに含まれる通信情報に対する肯定応答指示または否定応答指示を含む、請求項40に記載の非一時的コンピュータ可読記憶媒体。
【請求項４９】
前記アップリンクペイロードは、前記データ部分の間に受信されるダウンリンクデータに含まれる通信情報に基づかない情報を含む、請求項40に記載の非一時的コンピュータ可読記憶媒体。
【請求項５０】
前記アップリンクペイロードは、物理アップリンク制御チャネル(PUCCH)バッファステータス報告、PUCCHチャネル状態指示、または物理アップリンク共有チャネル(PUSCH)確認応答指示のうちの少なくとも1つを含む、請求項40に記載の非一時的コンピュータ可読記憶媒体。
【請求項５１】
前記1つまたは複数の基準信号は、復調基準信号(DMRS)を含む、請求項40に記載の非一時的コンピュータ可読記憶媒体。
【請求項５２】
前記1つまたは複数の基準信号は、サウンディング基準信号(SRS)を含む、請求項40に記載の非一時的コンピュータ可読記憶媒体。
【請求項５３】
前記アップリンクペイロードは、物理アップリンク制御チャネル(PUCCH)確認応答指示を含む、請求項40に記載の非一時的コンピュータ可読記憶媒体。
【請求項５４】
前記アップリンクペイロードは、同じワイヤレス通信構造の前記データ部分の間に受信されるダウンリンクデータの肯定応答(ACK)も否定応答(NACK)も含まない、請求項40に記載の非一時的コンピュータ可読記憶媒体。
【請求項５５】
前記共通アップリンク部分は、共通アップリンクショートバースト部分を含む、請求項40に記載の非一時的コンピュータ可読記憶媒体。
【請求項５６】
ワイヤレス通信のための装置であって、
ワイヤレス通信構造を少なくともデータ部分と共通アップリンク部分とを含むように構成するための手段であって、前記共通アップリンク部分が、第1のシンボルと第2のシンボルとを含み、前記第1のシンボルが前記第2のシンボルに先行する手段と、
1つまたは複数の基準信号あるいはアップリンクペイロードの少なくとも一部を前記第1のシンボルまたは前記第2のシンボルの少なくとも一方にマップするための手段であって、前記1つまたは複数の基準信号の第1の部分および前記アップリンクペイロードの第1の部分が前記第1のシンボルにマップされ、前記1つまたは複数の基準信号の第2の部分および前記アップリンクペイロードの第2の部分が前記第2のシンボルにマップされる手段と、
前記ワイヤレス通信構造の前記共通アップリンク部分において前記1つまたは複数の基準信号および前記アップリンクペイロードを送信するための手段であって、サイクリックプレフィックス直交周波数分割多重化(CP-OFDM)または離散フーリエ変換拡散直交周波数分割多重化(DFT-s-OFDM)を使用することを含み、前記第1のシンボルと前記第2のシンボルが、それぞれに異なる周波数帯域を使用して送信される手段とを備える装置。
【請求項５７】
前記第1のシンボルおよび前記第2のシンボルは、前記データ部分に含まれる1つまたは複数のシンボルよりも短いシンボル持続時間を有するように構成される、請求項56に記載の装置。
【請求項５８】
前記アップリンクペイロードは、
前記データ部分の間に受信されるダウンリンクデータに含まれる通信情報に対する肯定応答指示または否定応答指示と、前記データ部分の間に受信されるダウンリンクデータに含まれる通信情報に基づかない情報と、物理アップリンク制御チャネル(PUCCH)確認応答指示、PUCCHスケジューリング要求、PUCCHバッファステータス報告、PUCCHチャネル状態指示、物理アップリンク共有チャネル(PUSCH)確認応答指示、またはPUSCHデータのうちの少なくとも1つとのうちの少なくとも1つを含む、請求項56に記載の装置。
【請求項５９】
前記1つまたは複数の基準信号は、
復調基準信号(DMRS)とサウンディング基準信号(SRS)とを含む、請求項56に記載の装置。
【請求項６０】
前記1つまたは複数の基準信号は、復調基準信号(DMRS)を含み、
前記アップリンクペイロードは、前記ワイヤレス通信構造の前記データ部分において受信されるダウンリンク通信に対する肯定応答指示または否定応答指示を含む、請求項56に記載の装置。
【請求項６１】
前記共通アップリンク部分は、前記データ部分よりも大きいサブキャリア間隔を有するように構成される、請求項56に記載の装置。
【請求項６２】
前記データ部分の間に符号ブロックの第1のセットおよび符号ブロックの第2のセットを受信するための手段と、
前記符号ブロックの前記第2のセットよりも前に前記符号ブロックの前記第1のセットを復号するための手段とをさらに含む、請求項56に記載の装置。
【請求項６３】
前記1つまたは複数の基準信号と前記アップリンクペイロードは、それぞれに異なるサブキャリアを使用して送信される、請求項56に記載の装置。
【請求項６４】
前記データ部分の間に符号ブロックの第1のセットおよび符号ブロックの第2のセットを受信するための手段と、
前記符号ブロックの前記第2のセットよりも前に前記符号ブロックの前記第1のセットを復号するための手段であって、前記アップリンクペイロードが、前記符号ブロックの前記第1のセットに肯定応答または否定応答するためのビットの第1のセットと、前記符号ブロックの前記第2のセットに肯定応答または否定応答するためのビットの第2のセットとを含む手段とをさらに備える、請求項56に記載の装置。
【請求項６５】
前記ビットの前記第2のセットは、前記ビットの前記第1のセットから独立して符号化される、請求項64に記載の装置。
【請求項６６】
前記ビットの前記第1のセットと前記ビットの前記第2のセットは、ジョイント符号化される、請求項64に記載の装置。
【請求項６７】
前記アップリンクペイロードは、同じワイヤレス通信構造の前記データ部分の間に受信されるダウンリンクデータの肯定応答(ACK)も否定応答(NACK)も含まない、請求項56に記載の装置。
【請求項６８】
前記共通アップリンク部分は、共通アップリンクショートバースト部分を含む、請求項56に記載の装置。
【請求項６９】
前記アップリンクペイロードは、前記データ部分の間に受信されるダウンリンクデータに含まれる通信情報に対する肯定応答指示を含む、請求項56に記載の装置。
【請求項７０】
前記アップリンクペイロードは、前記データ部分の間に受信されるダウンリンクデータに含まれる通信情報に基づかない情報を含む、請求項56に記載の装置。
【請求項７１】
前記アップリンクペイロードは、物理アップリンク制御チャネル(PUCCH)バッファステータス報告、PUCCHチャネル状態指示、または物理アップリンク共有チャネル(PUSCH)確認応答指示のうちの少なくとも1つを含む、請求項56に記載の装置。
【請求項７２】
前記1つまたは複数の基準信号は、復調基準信号(DMRS)を含む、請求項56に記載の装置。
【請求項７３】
前記1つまたは複数の基準信号は、サウンディング基準信号(SRS)を含む、請求項56に記載の装置。
【請求項７４】
前記アップリンクペイロードは、物理アップリンク制御チャネル(PUCCH)確認応答指示を含む、請求項56に記載の装置。
【国際調査報告】
2019536336.tif 000022
2019536336.tif 000023
2019536336.tif 000024
2019536336.tif 000025
2019536336.tif 000026